(57)【要約】  心臓弁修復器具であって、心臓弁修復器具は、配備形態では長円形又は円形の形状を有するよう構成された拡張可能なメッシュを備えた心房固定部材を有し、心房固定部材は、中央ルーメンを備え、心臓弁修復器具は、心房固定部材の一部分から延びるバッフルをさらに有し、バッフルは、生まれつきの心臓弁の１つ又は２つ以上の生まれつきの尖の少なくとも一部分と接合するよう構成されている滑らかな無外傷性の表面を備えた前方部分と、生まれつきの心臓弁の別の生まれつきの尖の少なくとも部分的に係合して該一部分を変位させるよう構成された後方部分とを有し、バッフルは、変位した生まれつきの尖の閉鎖位置に近づくよう心房固定部材から中央ルーメン中に半径方向内方に延びていることを特徴とする心臓弁修復器具。
2020532402.tif 000002
【特許請求の範囲】
【請求項１】
心臓弁修復器具であって、
配備形態では長円形又は円形の形状を有するよう構成された拡張可能なメッシュを備えた心房固定部材を有し、前記心房固定部材は、中央ルーメンを備え、
前記心房固定部材の一部分から延びるバッフルを有し、前記バッフルは、生まれつきの心臓弁の１つ又は２つ以上の生まれつきの尖の少なくとも一部分と接合するよう構成されている滑らかな無外傷性の表面を備えた前方部分と、前記生まれつきの心臓弁の別の生まれつきの尖の少なくとも部分的に係合して該一部分を変位させるよう構成された後方部分とを有し、前記バッフルは、前記変位した生まれつきの尖の閉鎖位置に近づくよう前記心房固定部材から前記中央ルーメン中に半径方向内方に延びている、修復器具。
【請求項２】
前記バッフルは、中空内容積部を有するバスケットの状態に構成されたストラットを含み、前記バッフルは、機能的に欠陥のある生まれつきの尖の少なくとも第１の部分に係合して該第１の部分を拘束する一方で、前記機能的に欠陥のある生まれつきの尖の第２の部分を可動状態なままにしておくよう構成された拘束部分をさらに含み、前記バッフルは、前記機能的に欠陥のある尖に関する閉鎖位置に近づくよう前記中央ルーメン中に半径方向内方に延びている、請求項１記載の修復器具。
【請求項３】
前記心房固定部材又は前記バッフルの複数部分に設けられた複数の摩擦要素をさらに有する、請求項１記載の修復器具。
【請求項４】
前記心房固定部材の内側と外側は、どの摩擦要素をも含まない、請求項２記載の修復器具。
【請求項５】
前記バッフルは、中空内部を包囲したバスケットを有する、請求項１記載の修復器具。
【請求項６】
前記バッフルは、複数の前方ストラットと複数の後方ストラットを有し、隙間が前記前方ストラット及び前記後方ストラットの隣り合うストラット相互間に介在して設けられている、請求項１記載の修復器具。
【請求項７】
前記バッフルを少なくとも部分的に包囲したファブリック被覆を有し、
前記バスケットは、前記ファブリックによって覆われていない口を有する、請求項２記載の修復器具。
【請求項８】
前記バッフルを少なくとも部分的に包囲したファブリック被覆を有し、
前記バスケットは、前記ファブリックによって覆われた口を有する、請求項２記載の修復器具。
【請求項９】
前記バッフルは、生体適合性フォームから成る、請求項１記載の修復器具。
【請求項１０】
前記バッフルの前記前方部分は、凸形状を有する、請求項１記載の修復器具。
【請求項１１】
前記バッフルの前記後方部分は、３つのスカラップを有する生まれつきの僧帽弁尖の中央スカラップに係合する一方で、残りの前記２つのスカラップを可動状態のままにするよう寸法決めされるとともに形作られている、請求項１記載の修復器具。
【請求項１２】
前記心房固定部材の周りに周方向に設けられた第１の組をなす複数の縫合糸ループをさらに有し、前記第１の組をなす縫合糸ループのうちの各縫合糸ループは、ルーメンを有し、
前記縫合糸ループの前記ルーメン内に設けられるとともに隣り合う縫合糸ループを相互に連結した第１の縫合糸を有し、
前記心房固定部材の直径は、前記第１の縫合糸を締めることによって調節される、請求項１記載の修復器具。
【請求項１３】
前記バッフルの周りに円周方向に設けられた第２の組をなす複数の縫合糸ループをさらに有し、前記第２の組をなす縫合糸ループのうちの各縫合糸ループは、ルーメンを有し、
前記縫合糸ループの前記ルーメン内に設けられるとともに隣り合う縫合糸ループを相互に連結した第２の縫合糸を有し、
前記バッフルの直径は、前記第２の縫合糸を締めることによって調節される、請求項１記載の修復器具。
【請求項１４】
前記バッフルに設けられた第３の縫合糸ループと、
前記第３の縫合糸ループの前記ルーメン内に設けられた第３の縫合糸とをさらに有し、
前記第３の縫合糸を引くことにより、前記バッフルが変位する、請求項１記載の修復器具。
【請求項１５】
前記心房固定部材に取り付けられるとともに前記心房固定部材を少なくとも部分的に跨いだファブリックの少なくとも１つのファブリックセグメントをさらに有し、前記ファブリック被覆は、組織内方成長を容易にする、請求項１記載の修復器具。
【請求項１６】
前記心房固定部材の遠位端部から垂下したファブリックの少なくとも１つのファブリックセグメントをさらに有する、請求項１記載の修復器具。
【請求項１７】
前記少なくとも１つのファブリックセグメントに取り付けられるとともに前記ファブリックセグメントを付勢して該ファブリックセグメントを前記中央ルーメンから遠ざける付勢部材をさらに有する、請求項１６記載の修復器具。
【請求項１８】
前記心房固定部材は、少なくとも２つの列をなすセルから成る、請求項１記載の修復器具。
【請求項１９】
前記心房固定部材は、シェブロンの列をさらに有し、
前記シェブロンのうちの少なくとも２つは、貫通穴を有し、
前記心房固定部材は、前記貫通穴に通された縫合糸を有し、
前記縫合糸を締めることにより、前記心房固定部材の直径が調節される、請求項１記載の修復器具。
【請求項２０】
前記心房固定部材は、切頭円錐形の形状を有する、請求項１記載の修復器具。
【請求項２１】
前記心房固定部材は、前記生まれつきの心臓弁の心房壁とのみ係合するよう構成されている、請求項２０記載の修復器具。
【請求項２２】
外力によって拘束されていない前記心房固定部材のサイズは、心拡張期の際、生まれつきの心房のサイズよりも大きい、請求項２１記載の修復器具。
【請求項２３】
前記修復器具は、前記心房固定部材及び前記バッフルにおいてのみ前記生まれつきの心臓弁に対して固定されている、請求項２２記載の修復器具。
【請求項２４】
前記心房固定部材は、前方側部及び後方側部を有し、前記心房固定部材の前記前方側部の近位端部は、前記心房固定部材の前記後方側部の近位端部から垂直にオフセットしている、請求項１記載の修復器具。
【請求項２５】
前記心房固定部材は、非対称の形状を有し、前方側部の長さは、前記心房固定部材の前記前方側部が前記心房固定部材の前記後方側部よりも垂直方向に高いように前記心房固定部材の後方側部の長さよりも長い、請求項１記載の修復器具。
【請求項２６】
前記心房固定部材の後方側部は、前記心房固定部材の前方側部よりも硬い、請求項１記載の修復器具。
【請求項２７】
前記心房固定部材は、複数のセルを形成している複数の相互連結ストラットを有し、前記心房固定部材の前記後方側部の前記ストラットは、前記心房固定部材の前記前方側部の前記ストラットよりも厚い、広いかつ／あるいは隣り合うストラット相互間の隙間が狭いかの少なくとも１つである、請求項２６記載の修復器具。
【請求項２８】
心房壁を備えた心房、心室壁を備えた心室、開き位置及び閉鎖位置を有する少なくとも２つの尖を備えた心臓弁を有する心臓内の逆流性の心臓弁を修復する方法であって、前記心臓弁は、前記心房と前記心室との間の境界部のところに配置され、前記心臓は、前記心臓弁を包囲した弁輪を有し、前記方法は、
人工弁尖器具を用意するステップを含み、前記人工弁尖器具は、
メッシュ材料で作られた心房固定部材を有し、前記心房固定部材は、前記心房と前記心室を流体結合するよう構成された中央ルーメンを備え、前記心房固定部材は、前方部分、後方部分、近位端部、遠位端部、内側部、及び外側部を有し、
前記心房固定部材に取り付けられたバッフルを有し、前記バッフルの前方部分は、前記少なくとも２つの尖のうちの１つのための人工接合面として作用する滑らかな無外傷性の表面を備え、前記バッフルの後方部分は、前記少なくとも２つの尖のうちの別の１つの少なくとも一部分に係合して該一部分を変位させるよう構成され、前記バッフルは、前記中央ルーメン内に突き出て前記変位した尖の閉鎖位置に近づき、
前記人工弁尖器具を前記心房内に植え込んで、前記心房固定部材が前記弁輪から間隔を置いて離れて位置するようにするステップを含み、
前記バッフルを前記少なくとも２つの尖のうちの一方に当接するよう位置決めするステップを含む、方法。
【請求項２９】
前記人工弁尖器具の前記心房固定部材は、アイレットを備えた少なくとも２つの縫合糸ループ、前記アイレットに通された縫合糸ストランドを有し、前記縫合糸ストランドを締めると、前記心房固定部材が潰れ、
前記人工弁尖器具を植え込むステップは、
前記縫合糸ストランドを締めて前記心房固定部材を潰すステップと、
前記心房固定部材が前記心房内で潰れた状態で前記人工弁尖器具を配置するステップと、
前記人工弁尖器具を弛めて前記心房固定部材が拡張して前記心房壁に接触するようにするステップとを含む、請求項２８記載の方法。
【請求項３０】
前記人工弁尖器具は、前記心房固定部材及び前記バッフルによってのみ前記心臓弁に対して固定される、請求項２８記載の方法。
【請求項３１】
心臓弁修復器具であって、
中央ルーメンを備えた心房固定部材と、
前記心房固定部材に取り付けられたバッフルとを有し、前記バッフルは、生まれつきの心臓弁の少なくとも１つの生まれつきの尖と接合するよう構成された人工接合面を構成する滑らかな無外傷性の表面を備えた前方部分と、機能的に欠陥のある尖の少なくとも一部分に係合して該一部分を変位させるよう構成された後方部分とを有し、前記バッフルは、前記機能的に欠陥のある尖の閉鎖位置に近づくよう前記中央ルーメン中に半径方向内方に延びている、心臓弁修復器具。
【請求項３２】
前記バッフルを少なくとも部分的に包囲したファブリック被覆をさらに有する、請求項３１記載の修復器具。
【請求項３３】
前記バッフルは、生体適合性フォームから成る、請求項３１記載の修復器具。
【請求項３４】
前記心房固定器具及び前記バッフルの後方部分上に設けられた複数の摩擦要素をさらに有し、前記バッフルは、前記心房固定部材に対して少なくとも実質的に固定された向きのままである、請求項３１記載の修復器具。
【請求項３５】
前記バッフルは、中空内部を包囲したバスケットを有する、請求項３１記載の修復器具。
【請求項３６】
前記バッフルは、複数の前方ストラット及び複数の後方ストラットを有し、前記前方ストラット及び前記後方ストラットの隣り合うストラット相互間には隙間が介在して設けられている、請求項３５記載の修復器具。
【請求項３７】
前記バスケットは、口を有し、前記バスケットは、ファブリックによって覆われ、前記バスケットの前記口は、覆われていない、請求項３５記載の修復器具。
【請求項３８】
前記バッフルの前記前方部分は、凸状の形状を有する、請求項３１記載の修復器具。
【請求項３９】
前記バッフルの前記後方部分は、３つのスカラップを備えた僧帽弁前尖又は僧帽弁後尖のうちの中央スカラップに係合して該中央スカラップを変位させる一方で、残りの前記２つのスカラップを可動状態のままにしておくよう寸法決めされるとともに形作られている、請求項３１記載の修復器具。
【請求項４０】
前記バッフルの前記後方部分は、生まれつきの尖全体に係合して該尖を変位させるよう寸法決めされるとともに形作られている、請求項３１記載の修復器具。
【請求項４１】
前記心房固定部材は、第１の平面内で延びる半円形リングを有し、前記バッフルは、前記第１の平面と平行でありかつ該第１の平面から垂直にオフセットした第２の平面で延びている、請求項３１記載の修復器具。
【請求項４２】
前記バッフルの前記前方部分は、生体適合性フォームから成る、請求項３１記載の修復器具。
【請求項４３】
前記心房固定部材は、前外側交連と後内側交連との間で前記弁輪の周辺を囲むよう寸法決めされた半円形リングを有する、請求項３１記載の修復器具。
【請求項４４】
心臓弁修復器具であって、
中央ルーメンを備えた心房固定部材を有し、
三角アンカーシステム及び後方フックの群から選択された少なくとも１つの固定機構体を有し、
前記三角アンカーシステムは、前記心房固定部材に取り付けられるとともに前記バッフルから遠ざかって延びる第１の三角延長部、部分リングの第２の端部に取り付けられるとともに前記バッフルから遠ざかって延びる第２の三角延長部、ならびにアンカーと前記第１及び前記第２の三角延長部の終端部に取り付けられた無外傷性先端部とのうちの一方を含み、
前記後方フックは、前記心房固定部材の後方部分に取り付けられ、前記後方フックは、遠位側に延びる第１の部分及び後方の方向に湾曲した第２の部分を有し、前記後方フックは、心臓の心室中に延びて、生まれつきの心臓弁輪の心室側に係合するよう構成され、
前記心房固定部材に取り付けられたバッフルを有し、前記バッフルは、１つ又は２つ以上の生まれつきの尖のための人工接合面を構成する滑らかな無外傷性の表面を備えた前方部分、及び機能的に欠陥のある尖の少なくとも一部分に係合して該一部分を変位させるよう構成された後方部分を有し、前記バッフルは、前記中央ルーメン中に延びるとともに前記機能的に欠陥のある尖のための閉鎖位置に近づく、心臓弁修復器具。
【請求項４５】
前記バッフルを少なくとも部分的に包囲したファブリック被覆をさらに有する、請求項４４記載の修復器具。
【請求項４６】
前記バッフルは、生体適合性フォームから成る、請求項４４記載の修復器具。
【請求項４７】
前記心房固定部材及び前記バッフルの後方部分に設けられた複数の摩擦要素をさらに有する、請求項４４記載の修復器具。
【請求項４８】
前記バッフルは、中空内部を包囲したバスケットを有する、請求項４４記載の修復器具。
【請求項４９】
前記バッフルは、複数の前方ストラット及び複数の後方ストラットを有し、前記前方ストラット及び前記後方ストラットの隣り合うストラット相互間には隙間が介在して設けられている、請求項４８記載の修復器具。
【請求項５０】
前記バスケットは、口を有し、前記バスケットは、ファブリックによって覆われ、前記バスケットの前記口は、覆われていない、請求項４８記載の修復器具。
【請求項５１】
前記バッフルの前記前方部分は、凸状の形状を有する、請求項４４記載の修復器具。
【請求項５２】
前記バッフルの前記後方部分は、３つのスカラップを備えた僧帽弁前尖又は僧帽弁後尖のうちの中央スカラップに係合して該中央スカラップを変位させる一方で、残りの前記２つのスカラップを可動状態のままにしておくよう寸法決めされるとともに形作られている、請求項４４記載の修復器具。
【請求項５３】
前記バッフルの前記後方部分は、前記機能的に欠陥のある尖全体に係合するよう寸法決めされるとともに形作られている、請求項４４記載の修復器具。
【請求項５４】
前記心房固定部材は、前外側交連と後内側交連との間で前記心臓弁輪の周辺を囲むよう寸法決めされた半円形リングを有する、請求項４４記載の修復器具。
【請求項５５】
心臓弁修復器具であって、
中央ルーメンを備えた心房固定部材と、
前記心房固定部材に取り付けられたバッフルとを有し、前記バッフルは、１つ又は２つ以上の生まれつきの尖に係合するよう形作られた接合面を構成する滑らかな無外傷性の表面を備えた前方部分、及び機能的に欠陥のある尖の少なくとも一部分に係合して該一部分を変位させるよう構成された後方部分を有し、前記バッフルは、前記中央ルーメン中に延びるとともに前記機能的に欠陥のある尖のための閉鎖位置に近づく、心臓弁修復器具。
【請求項５６】
前記バッフルを少なくとも部分的に包囲したファブリック被覆をさらに有する、請求項５５記載の心臓弁修復器具。
【請求項５７】
前記バッフルは、生体適合性フォームから成る、請求項５５記載の心臓弁修復器具。
【請求項５８】
前記心房固定器具及び前記バッフルの後方部分上に設けられた複数の摩擦係合要素をさらに有する、請求項５５記載の心臓弁修復器具。
【請求項５９】
前記バッフルは、中空内部を包囲したバスケットを有する、請求項５５記載の心臓弁修復器具。
【請求項６０】
前記バッフルは、複数の前方ストラット及び複数の後方ストラットを有し、前記前方ストラット及び前記後方ストラットの隣り合うストラット相互間には隙間が介在して設けられている、請求項５９記載の心臓弁修復器具。
【請求項６１】
前記バスケットは、口を有し、前記バスケットは、ファブリックによって覆われ、前記バスケットの前記口は、覆われていない、請求項５９記載の心臓弁修復器具。
【請求項６２】
前記バッフルの前記前方部分は、凸状の形状を有する、請求項５５記載の心臓弁修復器具。
【請求項６３】
前記バッフルの前記後方部分は、３つのスカラップを備えた僧帽弁前尖又は僧帽弁後尖のうちの中央スカラップに係合して該中央スカラップを変位させる一方で、残りの前記２つのスカラップを可動状態のままにしておくよう寸法決めされるとともに形作られている、請求項５５記載の心臓弁修復器具。
【請求項６４】
前記心房固定部材は、第１及び第２の端部を備えた部分的に円形の切頭円錐形部材と、前記心房固定部材の前記第１の端部と前記第２の端部との間に延びるブレースとを有する、請求項５５記載の心臓弁修復器具。
【請求項６５】
三角アンカー及び後方フックの群から選択された少なくとも１つの固定機構体をさらに有し、前記三角アンカーは、前記心房固定部材の前記第１の端部に取り付けられるとともに前記バッフルから遠ざかって延びる第１の三角延長部、前記心房固定部材の前記第２の端部に取り付けられるとともに前記バッフルから遠ざかって延びる第２の三角延長部、ならびにアンカーと前記第１及び前記第２の三角延長部の終端部に取り付けられた無外傷性先端部とのうちの一方を含む、請求項５５記載の心臓弁修復器具。
【請求項６６】
前尖及び後尖を備えた僧帽弁を修復するための心臓弁修復器具であって、
潰れ形態及び拡張形態を有するよう構成された心房固定部材を有し、前記心房固定部材は、拡張可能なリング状のメッシュを有し、前記心房固定部材は、生まれつきの弁輪の上流側で前記心房壁の組織に接触するよう構成され、
前記心房固定部材から半径方向内方に延びるバッフルを有し、前記バッフルは、前記後尖を心室壁に向かって変位させて前記後尖を開き位置に拘束するよう構成された外側部分、前記外側部分の半径方向内方に接合面を備えた内側部分を有し、前記内側部分は、前記接合面が前記前尖の閉鎖位置の少なくとも近くに位置決めされるような距離だけ前記外側部分から間隔を置いて位置している、心臓弁修復器具。
【請求項６７】
前記心房固定部材は、前記生まれつきの弁輪の上方で心房壁組織にのみ接触するよう構成されている、請求項６６記載の心臓弁修復器具。
【請求項６８】
前記バッフルの表面上に設けられた生体適合性被覆をさらに有する、請求項６６記載の心臓弁修復器具。
【請求項６９】
前記バッフルは、前記心房固定部材から下流側の方向に延びる後方ストラット及び前記後方ストラットの下流側端部から内方かつ上方に突き出た前方ストラットを有し、前記心臓弁修復器具は、前記後方及び前記前方ストラットに取り付けられた被覆をさらに有する、請求項６６記載の心臓弁修復器具。
【請求項７０】
前記心房固定部材は、複数のストラットを有し、前記心臓弁修復器具は、前記心房固定部材の前記ストラットに取り付けられた被覆をさらに有する、請求項６６記載の心臓弁修復器具。
【発明の詳細な説明】
【技術分野】
【０００１】
本技術は、一般に、逆流性又は閉鎖不全の心臓弁を修復するためのインプラント及びかかるインプラントを植え込む方法に関する。本技術は、特に、逆流性僧帽弁を修復するのに有用である。
【０００２】
〔関連出願の参照〕
本願は、２０１７年８月３１日に出願された米国特許仮出願第６２／５５２，５９５号及び２０１７年１１月７日に出願された米国特許仮出願第６２／５８２，５１９号の権益及び優先権主張出願であり、これら米国特許仮出願を参照により引用し、これらの記載内容全体を本明細書の一部とする。
【背景技術】
【０００３】
僧帽弁の適正な機能発揮に悪影響を及ぼす病態としては、例えば、僧帽弁逆流症、僧帽弁逸脱及び僧帽弁狭窄が挙げられる。僧帽弁逆流症は、僧帽弁の両尖がピーク収縮圧力で互いに接合してくっつくことがなく、その結果、左心室から左心房への血液の異常な漏れが生じる心臓の疾患である。僧帽弁尖の適正な閉鎖に悪影響を及ぼす場合のある多くの構造的要因が存在する。例えば、心臓疾患を患っている多くの患者は、心筋の拡張を生じており、その結果、僧帽弁輪が拡大している。僧帽弁輪の拡大により、弁尖が心収縮中に接合することが困難になる。腱索、乳頭筋を僧帽弁尖の下側に繋ぐ腱の伸展又は裂離もまた、僧帽弁輪の適正な閉鎖に悪影響を及ぼす場合がある。例えば、腱索の断裂により、弁尖が弁尖に加わる不適当な張力に起因して左心房中に逸脱する場合がある。異常な逆流もまた、乳頭筋の機能発揮が、例えば虚血に起因して損なわれた場合にも起こることがある。左心室が心収縮期中に収縮すると、罹患した乳頭筋は、適正な閉鎖を行うほど十分には収縮しない。
【０００４】
僧帽弁の逸脱、又は僧帽弁尖が異常に上方に膨らんで左心房中に入ると、それにより、僧帽弁の不規則な挙動が生じ、また、僧帽弁の逆流症が結果として生じる場合がある。僧帽弁の健常な機能発揮もまた、僧帽弁狭窄又は僧帽弁口が狭くなることによって悪影響を受ける場合があり、それにより心拡張の際に左心室の充満インピーダンスが生じる。
【０００５】
典型的には、僧帽弁逆流症の治療では、左心房中に逆流する血液の量を減少させるために利尿薬及び／又は血管拡張薬の投与が必要であった。他の手技としては、僧帽弁の修復か置換かのいずれかのために外科的方式（開放方式及び血管内方式）が行われた。例えば、典型的な修復方式では、拡張した弁輪の複数部分のシンチング（締め）又は切除が行われた。
【０００６】
弁輪のシンチングは、一般に弁輪又は周りの組織に固定されている環状又は周囲環状リングの植え込みによって達成されていた。他の修復手技としては、また、相互の部分付着部中への弁尖の縫合又はクリップ法が行われた。
【０００７】
別法として、より侵襲的な手技としては、機械的な弁又は生物学的組織を僧帽弁に代えて心臓中に植え込む弁それ自体まるごとの置換が行われた。これら侵襲的な手技は、従来、ラージオープン型開胸術（large open thoracotomies）により行われ、かくして、非常に有痛性であり、相当高い罹病率を呈し、そして長い回復期間を必要とする。
【０００８】
しかしながら、多くの修復及び置換手技では、器具の耐久性又は弁形成リング又は置換弁の不適切な寸法の結果として、患者にとって追加の問題が生じる場合がある。さらに、補修手技の多くは、下手に又は不正確に配置された縫合糸が手技の成功に悪影響を及ぼす場合のある心臓外科医の技量に大きく依存している。
【０００９】
僧帽弁輪は、その不規則な予測不能な形状に加えて、周りの組織からの相当な半径方向支持量を欠いている。僧帽弁は、外壁だけが筋組織によって結びつけられている。僧帽弁の内壁は、僧帽弁輪を大動脈流出路の下方部分から隔てる薄い血管壁によって結びつけられている。その結果、僧帽弁輪における相当大きな半径方向力により、大動脈路の下方部分の潰れが生じ、潜在的に致命的な結果をもたらす。
【００１０】
左心室の腱索はまた、僧帽弁修復器具を配備する際に障害物となる場合がある。左心室内の迷路のような腱索は、配備カテーテルをナビゲートして位置決めするのを僧帽弁の修復において極めて困難にする。
【発明の概要】
【発明が解決しようとする課題】
【００１１】
現行の手技と関連した問題点が存在すると仮定して、機能障害の心臓弁を治療するための簡単で効果的なかつ侵襲性の低い器具及び方法が要望され続けている。
【課題を解決するための手段】
【００１２】
心臓弁修復器具が開示され、この心臓弁修復器具は、配備形態では長円形又は円形の形状を有するよう構成された拡張可能なメッシュを備えた心房固定部材を有し、心房固定部材は、中央ルーメンを備え、心臓弁修復器具は、心房固定部材の一部分から延びるバッフルをさらに有し、バッフルは、生まれつきの心臓弁の１つ又は２つ以上の生まれつきの尖の少なくとも一部分と接合するよう構成されている滑らかな無外傷性の表面を備えた前方部分と、生まれつきの心臓弁の別の生まれつきの尖の少なくとも部分的に係合してその一部分を変位させるよう構成された後方部分とを有し、バッフルは、変位した生まれつきの尖の閉鎖位置に近づくよう心房固定部材から中央ルーメン中に半径方向内方に延びている。
【００１３】
上述の器具では、バッフルは、中空内容積部を有するバスケットの状態に構成されたストラットを含み、バッフルは、心房固定部材の一部分から延び、バッフルは、１つ又は２つ以上の生まれつきの尖の少なくとも一部分のための接合面を構成する滑らかな無外傷性の表面を備え、バッフルは、機能的に欠陥のある生まれつきの尖の少なくとも第１の部分に係合してこの第１の部分を拘束する一方で、機能的に欠陥のある生まれつきの尖の第２の部分を可動状態なままにしておくよう構成された拘束部分をさらに含み、バッフルは、機能的に欠陥のある尖に関する閉鎖位置に近づくよう中央ルーメン中に半径方向内方に延びている。
【００１４】
心房固定部材又はバッフルの複数部分に設けられた複数の摩擦要素をさらに有することを特徴とする上記のうちいずれか一の器具。
【００１５】
心房固定部材の内側と外側は、どの摩擦要素をも含まないことを特徴とする上記のうちいずれか一の器具。
【００１６】
バッフルは、複数の前方ストラットと複数の後方ストラットを有し、隙間が前方ストラット及び後方ストラットの隣り合うストラット相互間に介在して設けられていることを特徴とする上記のうちいずれか一の器具。
【００１７】
バッフルを少なくとも部分的に包囲したファブリック被覆を有し、バスケットは、ファブリックによって覆われていない口を有することを特徴とする上記のうちいずれか一の器具。
【００１８】
バッフルを少なくとも部分的に包囲したファブリック被覆を有し、バスケットは、ファブリックによって覆われた口を有することを特徴とする上記のうちいずれか一の器具。
【００１９】
バッフルは、生体適合性フォームから成ることを特徴とする上記のうちいずれか一の器具。
【００２０】
バッフルの前方部分は、凸形状を有することを特徴とする上記のうちいずれか一の器具。
【００２１】
バッフルの後方部分は、３つのスカラップを有する生まれつきの僧帽弁尖の中央スカラップに係合する一方で、残りの２つのスカラップを可動状態のままにするよう寸法決めされるとともに形作られていることを特徴とする上記のうちいずれか一の器具。
【００２２】
心房固定部材の周りに周方向に設けられた第１の組をなす複数の縫合糸ループをさらに有し、第１の組をなす縫合糸ループのうちの各縫合糸ループは、ルーメンを有し、縫合糸ループのルーメン内に設けられるとともに隣り合う縫合糸ループを相互に連結した第１の縫合糸を有し、心房固定部材の直径は、第１の縫合糸を締めることによって調節されることを特徴とする上記のうちいずれか一の器具。
【００２３】
バッフルの周りに円周方向に設けられた第２の組をなす複数の縫合糸ループをさらに有し、第２の組をなす縫合糸ループのうちの各縫合糸ループは、ルーメンを有し、縫合糸ループのルーメン内に設けられるとともに隣り合う縫合糸ループを相互に連結した第２の縫合糸を有し、バッフルの直径は、第２の縫合糸を締めることによって調節されることを特徴とする上記のうちいずれか一の器具。
【００２４】
バッフルに設けられた第３の縫合糸ループと、第３の縫合糸ループのルーメン内に設けられた第３の縫合糸とをさらに有し、第３の縫合糸を引くことにより、バッフルが変位することを特徴とする上記のうちいずれか一の器具。
【００２５】
心房固定部材に取り付けられるとともに心房固定部材を少なくとも部分的に跨いだファブリックの少なくとも１つのファブリックセグメントをさらに有し、ファブリック被覆は、組織内方成長を容易にすることを特徴とする上記のうちいずれか一の器具。
【００２６】
心房固定部材の遠位端部から垂下したファブリックの少なくとも１つのファブリックセグメントをさらに有することを特徴とする上記のうちいずれか一の器具。この器具は、少なくとも１つのファブリックセグメントに取り付けられるとともにファブリックセグメントを付勢してこのファブリックセグメントを中央ルーメンから遠ざける付勢部材をさらに有するのが良い。
【００２７】
心房固定部材に取り付けられたファブリックのセグメントをさらに有し、ファブリック被覆は、組織内方成長を容易にすることを特徴とする上記のうちいずれか一の器具。
【００２８】
心房固定部材は、少なくとも２つの列をなすセルから成ることを特徴とする上記のうちいずれか一の器具。
【００２９】
心房固定部材は、シェブロンの列をさらに有し、シェブロンのうちの少なくとも２つは、貫通穴を有し、心房固定部材は、貫通穴に通された縫合糸を有し、縫合糸を締めることにより、心房固定部材の直径が調節されることを特徴とする上記のうちいずれか一の器具。
【００３０】
心房固定部材は、切頭円錐形の形状を有することを特徴とする上記のうちいずれか一の器具。心房固定部材は、心房壁とのみ係合するよう構成されているのが良い。外力によって拘束されていない心房固定部材のサイズは、心拡張期の際、心房のサイズよりも大きい。修復器具は、心房固定部材及びバッフルにおいてのみ生まれつきの心臓弁に対して固定されるのが良い。
【００３１】
心房固定部材の前方側部の近位端部は、心房固定部材の後方側部の近位端部から垂直にオフセットしていることを特徴とする上記のうちいずれか一の器具。
【００３２】
心房固定部材は、非対称の形状を有し、前方側部の長さは、心房固定部材の前方側部が心房固定部材の後方側部よりも垂直方向に高いように心房固定部材の後方側部の長さよりも長いことを特徴とする上記のうちいずれか一の器具。
【００３３】
心房固定部材の後方側部は、心房固定部材の前方側部よりも硬いことを特徴とする上記のうちいずれか一の器具。心房固定部材は、複数のセルを形成している複数の相互連結ストラットを有するのが良く、心房固定部材の後方側部のストラットは、心房固定部材の前方側部のストラットよりも厚い、広いかつ／あるいは隣り合うストラット相互間の隙間が狭いかの少なくとも１つである。
【００３４】
また、心房壁を備えた心房、心室壁を備えた心室、開き位置及び閉鎖位置を有する少なくとも２つの尖を備えた心臓弁を有する心臓内の逆流性の心臓弁を修復する方法が開示され、心臓弁は、心房と心室との間の境界部のところに配置され、心臓は、心臓弁を包囲した弁輪を有し、本方法は、人工弁尖器具を用意するステップを含み、人工弁尖器具は、ステント状材料で作られた心房固定部材を有し、心房固定部材は、心房と心室を流体結合するよう構成された中央ルーメンを備え、心房固定部材は、前方部分、後方部分、近位端部、遠位端部、内側部、及び外側部を有し、人工弁尖器具は、心房固定部材の後方部分の遠位端部から垂下したバッフルをさらに有し、バッフルの前方部分は、２つ又は３つ以上の尖のうちの１つのための新たな人工接合面として作用する滑らかな無外傷性の表面を備え、バッフルの後方部分は、２つ又は３つ以上の尖のうちの別の１つの少なくとも一部分に係合してその一部分を動かなくするよう構成され、バッフルは、中央ルーメン内に突き出て、動かなくされている尖の閉鎖位置に近づき、本方法は、人工弁尖器具を心房内に植え込んで、心房固定部材の前方部分、内側部分及び外側部分が弁輪から間隔を置いて離れて位置するようにするステップと、バッフルを少なくとも２つの尖のうちの一方に当接するよう位置決めするステップとをさらに含む。
【００３５】
上記方法では、人工弁尖器具の心房固定部材は、アイレットを備えた少なくとも２つの縫合糸ループ、アイレットに通された縫合糸ストランドを有し、縫合糸ストランドを締めると、心房固定部材が潰れ、人工弁尖器具を植え込むステップは、縫合糸ストランドを締めて心房固定部材を潰すステップと、心房固定部材が心房内で潰れた状態で人工弁尖器具を配置するステップと、人工弁尖器具を弛めて心房固定部材が拡張して心房壁に接触するようにするステップとを含む。
【００３６】
上記方法では、人工弁尖器具は、心房固定部材及びバッフルによってのみ心臓弁に対して固定されるのが良い。
【００３７】
また、心臓弁修復器具が開示され、この心臓弁修復器具は、中央ルーメンを備えた心房固定部材と、心房固定部材に取り付けられたバッフルとを有し、バッフルは、生まれつきの心臓弁の少なくとも１つの生まれつきの尖と接合するよう構成された人工接合面を構成する滑らかな無外傷性の表面を備えた前方部分と、機能的に欠陥のある尖の一部分に係合してその一部分を拘束するよう構成された後方部分とを有し、バッフルは、機能的に欠陥のある尖の閉鎖位置に近づくよう中央ルーメン中に半径方向内方に延びている。本器具は、バッフルを少なくとも部分的に包囲したファブリック被覆をさらに有するのが良い。バッフルは、生体適合性フォームから成るのが良い。本器具は、半円形リング及びバッフルの後方部分上に設けられた複数の摩擦要素をさらに有するのが良い。バッフルは、中空内部を備えたバスケットを形成するのが良い。バッフルは、複数の前方ストラット及び複数の後方ストラットを有するのが良く、前方ストラット及び後方ストラットの隣り合うストラット相互間には隙間が介在して設けられている。バスケットは、口を有するのが良く、バスケットは、ファブリックによって覆われ、バスケットの口は、覆われていない。バッフルの前方部分は、凸状の形状を有するのが良い。バッフルの後方部分は、３つのスカラップを備えた僧帽弁前尖又は僧帽弁後尖のうちの中央スカラップに係合する一方で、残りの２つのスカラップを可動状態のままにしておくよう寸法決めされるとともに形作られている。変形例として、バッフルの後方部分は、弁尖全体に係合するよう寸法決めされるとともに形作られている。心房固定部材は、第１の平面内で延びる半円形リングを有するのが良く、バッフルは、第１の平面と平行でありかつこの第１の平面から垂直にオフセットした第２の平面で延びている。バッフルの前方部分は、生体適合性フォームから成る。心房固定部材は、前外側交連と後内側交連との間で弁輪の周辺を囲むよう寸法決めされた半円形リングを有するのが良い。
【００３８】
また、心臓弁修復器具が開示され、本器具は、中央ルーメンを備えた心房固定部材と、三角アンカーシステム及び後方フックを有する少なくとも１つの固定機構体とを有し、三角アンカーシステムは、部分リングの第１の端部に取り付けられるとともにバッフルから遠ざかって延びる第１の三角延長部、部分リングの第２の端部に取り付けられるとともにバッフルから遠ざかって延びる第２の三角延長部、ならびにアンカーと第１及び第２の三角延長部の終端部に取り付けられた無外傷性先端部とのうちの一方を含み、後方フックは、心房固定部材の後方部分に取り付けられ、後方フックは、遠位側に延びる第１の部分及び後方の方向に湾曲した第２の部分を有し、後方フックは、心室中に延びて、生まれつきの心臓弁輪の心室側に係合するよう構成され、本器具は、部分リングに取り付けられたバッフルをさらに有し、バッフルは、１つ又は２つ以上の生まれつきの尖のための人工接合面を構成する滑らかな無外傷性の表面を備えた前方部分、及び機能的に欠陥のある尖の少なくとも一部分に係合してその一部分を変位させるよう構成された後方部分を有し、バッフルは、中央ルーメン中に延びるとともに変位済みの尖のための閉鎖位置に近づく。
【００３９】
バッフルを少なくとも部分的に包囲したファブリック被覆をさらに有することを特徴とする上記器具。バッフルは、生体適合性フォームから成ることを特徴とする上記器具。心房固定部材及びバッフルの後方部分に設けられた複数の摩擦要素をさらに有することを特徴とする上記器具。上記器具のうちの任意のものに関し、バッフルは、中空内部を備えたバスケットであるのが良い。バッフルは、複数の前方ストラット及び複数の後方ストラットを有するのが良く、前方ストラット及び後方ストラットの隣り合うストラット相互間には隙間が介在して設けられている。バスケットは、口を有し、バスケットは、ファブリックによって覆われ、バスケットの口は、覆われていない。
【００４０】
上記器具のうちの任意のものに関し、バッフルの前方部分は、凸状の形状を有するのが良い。バッフルの後方部分は、３つのスカラップを備えた僧帽弁前尖又は僧帽弁後尖のうちの中央スカラップに係合してこの中央スカラップを動かなくする一方で、残りの２つのスカラップを可動状態のままにしておくよう寸法決めされるとともに形作られている。バッフルの後方部分は、弁尖全体に係合するよう寸法決めされるとともに形作られている。心房固定部材は、前外側交連と後内側交連との間で心臓弁輪の周辺を囲むよう寸法決めされた半円形リングを有する。
【００４１】
心臓弁修復器具が開示され、本器具は、中央ルーメンを備えた心房固定部材と、心房固定部材に取り付けられたバッフルとを有し、バッフルは、１つ又は２つ以上の生まれつきの尖に係合するよう形作られた人工接合面を構成する滑らかな無外傷性の表面を備えた前方部分、及び機能的に欠陥のある尖の少なくとも一部分に係合してその一部分を変位させるよう構成された後方部分を有し、バッフルは、中央ルーメン中に延びるとともに機能的に欠陥のある尖のための閉鎖位置に近づく。
【００４２】
上述の器具は、バッフルを少なくとも部分的に包囲したファブリック被覆をさらに有する。バッフルは、生体適合性フォームから成る。本器具は、心房固定器具及びバッフルの後方部分上に設けられた複数の摩擦係合要素をさらに有する。バッフルは、中空内部を備えたバスケットであるのが良い。バッフルは、複数の前方ストラット及び複数の後方ストラットを有し、前方ストラット及び後方ストラットの隣り合うストラット相互間には隙間が介在して設けられている。バスケットは、口を有し、バスケットは、ファブリックによって覆われ、バスケットの口は、覆われていない。
【００４３】
バッフルの前方部分は、凸状の形状を有することを特徴とする上述の器具。バッフルの後方部分は、３つのスカラップを備えた僧帽弁前尖又は僧帽弁後尖のうちの中央スカラップに係合してこの中央スカラップを変位させる一方で、残りの２つのスカラップを可動状態のままにしておくよう寸法決めされるとともに形作られている。心房固定部材は、第１及び第２の端部を備えた部分的に円形の切頭円錐形部材と、心房固定部材の第１の端部と第２の端部との間に延びるブレースとを有する。
【００４４】
上述の器具のうちの任意のものは、群（三角アンカー及び後方フック）から選択された少なくとも１つの固定機構体をさらに有し、三角アンカーは、心房固定部材の第１の端部に取り付けられるとともにバッフルから遠ざかって延びる第１の三角延長部、心房固定部材の第２の端部に取り付けられるとともにバッフルから遠ざかって延びる第２の三角延長部、ならびにアンカーと第１及び第２の三角延長部の終端部に取り付けられた無外傷性先端部とのうちの一方を含む。
【００４５】
また、前尖及び後尖を備えた僧帽弁を修復するための心臓弁修復器具が開示され、本器具は、潰れ形態及び拡張形態を有するよう構成された心房固定部材を有し、心房固定部材は、拡張可能なリング状のメッシュを有し、心房固定部材は、生まれつきの弁輪の上流側で心房壁の組織に接触するよう構成され、本器具は、心房固定部材から半径方向内方に延びるバッフルをさらに有し、バッフルは、後尖を心室壁に向かって変位させて後尖を開き位置に拘束するよう構成された外側部分、外側部分の半径方向内方に接合面を備えた内側部分を有し、内側部分は、接合面が前尖の閉鎖位置の少なくとも近くに位置決めされるような距離だけ外側部分から間隔を置いて位置している。心房固定部材は、生まれつきの弁輪の上方で心房壁組織にのみ接触するよう構成されるのが良い。心臓弁修復器具は、バッフルの表面上に設けられた生体適合性被覆をさらに有するのが良い。バッフルは、心房固定部材から下流側の方向に延びる後方ストラット及び後方ストラットの下流側端部から内方かつ上方に突き出た前方ストラットを有し、心臓弁修復器具は、後方及び前方ストラットに取り付けられた被覆をさらに有する。心房固定部材は、複数のストラットを有するのが良く、心臓弁修復器具は、心房固定部材のストラットに取り付けられた被覆をさらに有する。
【図面の簡単な説明】
【００４６】
【図１】僧帽弁の略図である。
【図２Ａ】本技術の実施形態に係る人工弁尖器具の図である。
【図２Ｂ】本技術の実施形態に係る人工弁尖器具の図である。
【図２Ｃ】本技術の実施形態に係る人工弁尖器具の図である。
【図２Ｄ−１】本技術の実施形態に係る人工弁尖器具の図である。
【図２Ｄ−２】本技術の実施形態に係る人工弁尖器具の図である。
【図２Ｅ−１】本技術の実施形態に係る人工弁尖器具の図である。
【図２Ｅ−２】本技術の実施形態に係る人工弁尖器具の図である。
【図２Ｆ−１】本技術の実施形態に係る人工弁尖器具の図である。
【図２Ｆ−２】本技術の実施形態に係る人工弁尖器具の図である。
【図２Ｆ−３】本技術の実施形態に係る人工弁尖器具の図である。
【図２Ｇ−１】本技術の実施形態に係る人工弁尖器具の図である。
【図２Ｇ−２】本技術の実施形態に係る人工弁尖器具の図である。
【図２Ｇ−３】本技術の実施形態に係る人工弁尖器具の図である。
【図２Ｇ−４】本技術の実施形態に係る人工弁尖器具の図である。
【図２Ｈ−１】本技術の実施形態に係る人工弁尖器具の図である。
【図２Ｈ−２】本技術の実施形態に係る人工弁尖器具の図である。
【図２Ｉ】本技術の実施形態に係る人工弁尖器具の図である。
【図３Ａ】本技術の実施形態に係る人工弁尖器具の図である。
【図３Ｂ】本技術の実施形態に係る人工弁尖器具の図である。
【図３Ｃ】本技術の実施形態に係る人工弁尖器具の図である。
【図３Ｄ】本技術の実施形態に係る人工弁尖器具の図である。
【図３Ｅ】本技術の実施形態に係る人工弁尖器具の図である。
【図４Ａ】本技術の実施形態に係る人工弁尖器具の図である。
【図４Ｂ】本技術の実施形態に係る人工弁尖器具の図である。
【図５Ａ】本技術の実施形態に係る人工弁尖器具の図である。
【図５Ｂ】本技術の実施形態に係る人工弁尖器具の図である。
【図６Ａ】本技術の実施形態に係る人工弁尖器具の図である。
【図６Ｂ】本技術の実施形態に係る人工弁尖器具の図である。
【図７Ａ】本技術の実施形態に係る人工弁尖器具の図である。
【図７Ｂ】本技術の実施形態に係る人工弁尖器具の図である。
【図７Ｃ】本技術の実施形態に係る人工弁尖器具の図である。
【図８Ａ】本技術の実施形態に係る人工弁尖器具の図である。
【図８Ｂ】本技術の実施形態に係る人工弁尖器具の図である。
【発明を実施するための形態】
【００４７】
僧帽弁を含む（しかしながらこれには限定されない）逆流性の又は機能不全の心臓弁に取り組むための種々の実施形態が開示される。人工弁尖器具の幾つかの実施例を開示するが、これら実施例は全て、少なくとも１つの弁尖の少なくとも一部分を変位させ、そして残りの弁尖のための無外傷性人工接合面を提供する共通のテーマを共有している。人工接合面は、これが開き位置と閉じ位置との間でずれることがないという点で生まれつきの尖のようには動かない。これとは異なり、人工接合面を、部分的に又は完全に変位した生まれつきの尖の閉鎖位置を定位置に固定することができ、又はかかる人工接合面は、真似又はこれに近づく限定された運動を有する。弁修復器具の幾つかの実施形態を、本技術の有用性が僧帽弁に限定されず、他の心臓弁に使用できるという理解の下で、僧帽弁を参照して本明細書において説明する。
【００４８】
僧帽弁の関係で、本技術の実施形態は、尖のうちの一方の一部分を変位させ、そして少なくとも部分的に変位させる一方で、他方の生まれつきの尖のための無外傷性接合面を提供するために使用されるのが良い。本技術の実施形態は、変位中の完全に閉じられた生まれつきの尖とほぼ同一の領域を閉塞するインプラントにより、生まれつきの尖を変位させる。新規な接合面は、生まれつきの尖の閉鎖位置を真似、又はこれに近づく。生まれつきの僧帽弁を示す図１を参照すると、僧帽弁の前尖及び後尖は各々、３つの明確に定められたスカラップ（Ａ１〜Ａ３及びＰ１〜Ｐ３）を有する。本明細書において開示する実施形態のうちの幾つかは、尖スカラップのうちの１つ又は２つのみを変位させて動かないようにすることができる一方で、残りの尖スカラップは無傷かつ可動状態のままにしておくが、他の実施形態は、尖全体（すなわち、３つ全てのスカラップ）を変位させて動かないようにすることができる一方で、対向した尖を無傷かつ可動状態のままにしておく。説明を単純にするため、本技術の幾つかの観点を僧帽弁の後尖を変位させて動かなくする一方で、前尖のための無外傷性接合面を提供することによって説明する。しかしながら、本技術は、前尖を変位させて動かなくする一方で、後尖のための無外傷性接合面を提供するためにも使用できる。
【００４９】
依然として図１を参照すると、僧帽弁は、前尖及び後尖を有する。前尖は、半円形の形状を有していて、環状周囲の２／５に着いている。前尖の動きは、左心室の流入（心拡張）と流出（心収縮）との間の境界を定める。僧帽弁の後尖は、三日月の形をしていて、環状周囲のほぼ３／５に着いている。後尖は、代表的には、尖をＰ１（前方又は外側スカラップ）、Ｐ２（中間スカラップ）、及びＰ３（後方又は内側スカラップ）として特定される３つの個々のスカラップに分割する２つの明確に定められた凹みを有する。前尖の３つの対応したセグメントは、Ａ１（前方セグメント）、Ａ２（中間セグメント）、及びＡ３（後方セグメント）である。尖凹みは、後方凹みが心拡張中に開くのを助ける。
【００５０】
僧帽弁は、前外側及び後内側交連を有し、これら交連は、前尖と後尖が弁輪中でこれらが一緒になる明確に区分された領域を定める。これら交連は、明確に規定された尖セグメントとして存在することができるが、多くの場合、この領域は、２つの解剖学的ランドマーク、すなわち、（ａ）対応の乳頭筋の軸線、及び（ｂ）特定のファン状形態を有する交連腱索を用いて識別できる微細な構造である。弁状組織の数ミリメートルは、交連の自由縁を弁輪から隔てる。
【００５１】
僧帽弁は、左心房を左心室に流体結合する房室弁である。僧帽弁輪は、左心室と左心房との解剖学的接合部を定める。尖の固定端部は、弁輪に着いている。僧帽弁輪の前方部分は、線維性三角に取り付けられていて、一般に、後方弁輪よりも展開されている。右線維性三角は、大動脈弁輪及び膜性中隔の僧帽、三尖、非冠状弁尖相互間の高密度接合領域である。左線維性三角は、大動脈の左線維性境界部と僧帽弁の接合部の両方に位置している。
【００５２】
僧帽弁輪は、後尖の挿入部位のところではそれほど十分には展開されておらず、と言うのは、このセグメントは、どの線維状構造にも取り付けられておらず、しかもこの領域における線維状スケルトンが不連続だからである。弁輪の後方部分の周囲は、増大し、それにより左心房又は左心室拡張と関連して僧帽逆流症が生じる場合がある。僧帽弁輪は、鞍形であり、心収縮中、交連領域は、心房をより平たくするよう心房の方向に動き、他方、環状収縮はまた、この周囲を狭窄する。両方のプロセスは、尖接合を助け、そしてこれら両方のプロセスは、例えば環状拡張及び石灰化のようなプロセスによって悪影響を受ける場合がある。僧帽弁輪は、大動脈弁、冠状静脈洞、及び回旋動脈を含む幾つかの重要な解剖学的構造によって包囲されている。
【００５３】
図２Ａ〜図２Ｅは、本発明に係る弁修復器具を示している。弁修復器具は、心房固定部材１０２及び心房固定部材１０２から下流側の方向に垂下したバッフル１１４を備えた人工弁尖器具１００であるのが良い。心房固定部材１０２は、バッフル１１４を生まれつきの弁解剖学的構造に対して所望の場所に位置決めするとともに保持するのを助けるよう構成されているのが良く、バッフル１１４は、弁の生まれつきの尖の少なくとも一部分を変位させて心房固定部材１０２によって提供される位置で生まれつきの弁の他の尖のうちの１つ又は２つ以上の少なくとも一部分のための人工接合面を作るよう構成されている。例えば、バッフル１１４は、機能的に欠陥のある生まれつきの尖、例えば退化し、裂離し、はためき又は違ったやり方で最早心収縮中に効果的に閉じることのない後尖を変位させるよう構成されているのが良い。もはや効果的に接合していない２つの生まれつきの尖相互間で逆流が起こるよう拡張弁輪を備えた弁では、バッフル１１４は、既存の尖の寸法を超えて伸びて他の尖との効果的な接合を再び確立することができる。
【００５４】
心房固定部材１０２は、メッシュ、例えば組物又はステント状構造体で形成されるのが良く、かかる構造体としては、協働して複数のセルを構成する複数の相互連結ワイヤ又はストラット１０４が挙げられる。心房固定部材１０２は、左心房の壁に係合させることによってバッフル１１４を定位置に保持するのを助け、この心房固定部材は、全体として切頭円錐形の形をしているのが良い。心房固定部材１０２の各セルは、開口部又は貫通穴１０６を構成する。心房固定部材１０２の非拘束形状は、全体として円形又は長円形の形をしているのが良い。心房固定部材１０２は、この心房固定部材１０２がバッフル１１４の位置を安定化するよう少なくともしきい量の半径方向力で左心房壁に接触するよう任意の数の貫通穴１０６又は任意の形状もしくは寸法を有するのが良い。半径方向力は、ストラットの形状及び寸法（厚さ、幅、及びストラット相互間の間隔）及び貫通穴１０６の形状及び寸法を変化させることによって調節できる。例えば、幅の広いかつ／あるいは厚手のストラット１０４は、耐圧縮（耐圧壊性）を増大させることができ、他方、大きな開口部又は貫通穴１０６及び／又は薄手のストラット１０４は、圧縮（圧壊）抵抗を減少させる。これらの概念について以下にさらに詳細に説明する。図２Ａでは、開口部１０６は、全体としてダイヤモンドの形をしている。
【００５５】
心房固定部材１０２は、任意の生体適合性材料、例えばステンレス鋼、ニッケル‐チタン合金、又はポリマーで作られるのが良い。心房固定部材１０２は、弾性自己拡張性材料又はバルーン拡張型材料であるのが良い。現時点において好ましい実施形態によれば、心房固定部材１０２は、超弾性ニッケル‐チタン合金、例えば、自己拡張性であるニチノール（Nitinol （登録商標））で形成される。
【００５６】
人工弁尖器具１００は、心房から心室への血流の方向に垂直軸線ＶＡ及びこの垂直軸線に直交した水平軸線ＨＡを有する。人工弁尖器具１００は、近位側Ｐ及び遠位側Ｄを有する人工弁尖器具は、心房に向いた近位又は先導端及び心室に向いた遠位又は後続端を有する。
【００５７】
心房固定部材１０２は、ルーメン１０２Ｌを包囲し又は違ったやり方で画定し、このルーメンは、拡張されると、左心房の一部分を跨ぐ。心房固定部材１０２は、オプションとしての生体適合性被覆１０８によって全体的に又は部分的に覆われるのが良い。生体適合性被覆１０８は、器具１００の長期間固定を助けることができる封止及び／又は組織内方成長を容易にすることができる。心房固定部材１０２のオプションとしての生体適合性被覆１０８は、開口部又は窓の有無を問わず連続していても良く、あるいは、生体適合性被覆１０８は、別々の区分を備えた不連続であっても良く、その結果、心房固定部材１０２の隙間又は覆われていない部分は、覆われた部分相互間に介在して位置するようになる。生体適合性被覆１０８は、ポリマー又はバイオマテリアル（ポリエチレンテレフタレート（ＰＥＴ）、発泡ポリテトラフルオロエチレン（ｅＰＴＦＥ）、シリコーン、ウレタン、心膜など）で形成されたファブリックであるのが良い。被覆１０８は、任意の従来手段によって心房固定部材１０２に取り付けられるのが良く、かかる従来手段としては、縫合糸、接着剤、焼結などが挙げられる。被覆１０８は、心房固定部材１０２の内面、すなわち、ルーメン１０２Ｌに向いた心房固定部材の表面に縫いつけられるのが良い。変形例として、被覆１０８は、心房固定部材１０２の外面、すなわち、ルーメン１０２Ｌから遠ざかる方向に向いた側部に取り付けられ、この側部は使用にあたり、心房壁に向いた側部である。
【００５８】
心房固定部材１０２は、左心房内への人工弁尖器具１００の十分な固定を無外傷的にもたらすとともに、この器具の運搬、位置決め、及び回収を可能にするよう構成されるとともに形作られている。図２Ａ〜図２Ｃに示された実施形態では、心房固定部材１０２の最も上側の列をなすストラットは、複数の逆Ｖ字形構造体又はクラウン箇所（例えばシェブロン１０２Ｖ）を形成する。シェブロン１０２Ｖのうちの１つ又は２つ以上は、各々、逆Ｖ字形クラウン箇所の頂点のところにアイレット１１０を有するのが良い。アイレット１１０は、人工弁尖器具１００を運搬カテーテル（図示せず）に送り、配向させ、そして回収し、又は人工弁尖器具１００を運搬カテーテルから送り出し、配向させ、そして回収するために用いられる縫合糸ストランド（図示せず）を受け入れるよう寸法決めされている。シェブロン１０２Ｖは、全体として垂直に（垂直軸線ＶＡに平行に）延びても良く、あるいは、心房壁へのどのような外傷をも最小限に抑えるようルーメン１０２Ｌに向かって角度をなしていても良く、これに対し、心房固定部材１０２の残部は、切頭円錐形状を有するよう外方に（例えば、ルーメン１０２Ｌから遠ざかって）広がる。シェブロン１０２Ｖは、ルーメン１０２Ｌに向かって角度をなしていても良い。
【００５９】
図２Ａ〜図２Ｅに示された人工弁尖器具１００は、この器具を定位置に保持するよう心房固定を利用する。心房固定部材１０２の非拘束サイズは、人工弁尖器具１００がその所望の位置のままであるようにするよう心拡張の際に心房のサイズに対して幾分大きめであるのが良い。心房固定部材１０２は、僧帽弁輪の上方に位置するよう構成され、その結果、この心房固定部材は、僧帽弁の他の尖の機能に悪影響を及ぼすことがないようになっている。心房固定部材１０２は、複数の摩擦係合部分又はクリート１１２を有するのが良く、これら摩擦係合部分又はクリートは、心房壁の組織中に穿刺することなく、組織に摩擦係合し、すなわち、組織中にテント状に入り込むようになっている。しかしながら、クリート１１２は、心房壁中に穿刺するよう構成された尖った先端又は刺部を有するのが良い。クリート１１２は、ストラット１０４と一体形成されても良く、又は違ったやり方でストラット１０４に取り付けられるのが良い。クリート１１２は、（ａ）アイレット１１０に向かって（すなわち、血流の方向とは反対側に、例えば、上方に、近位側に、心房の頂部に向かって、又は僧帽弁用途において心室から遠ざかって）延びても良く、（ｂ）心房の壁中に外向きに直接延びても良く、かつ／あるいは（ｃ）アイレット１１０から遠ざかって下方に（血流の方向に、下方に、遠位側に、心室に向かって、又は僧帽弁用途において心房から遠ざかって）延びても良く、あるいはクリートは、多数の方向に延びても良い。クリート１１２は、心房固定部材１０２の周囲全体に沿ってぐるりと設けられても良く、あるいは、クリート１１２は、心房固定部材１０２の複数部分にのみ設けられても良い。例えば、クリート１１２は、心房固定部材１０２の外側セグメント上ではなく、心房固定部材１０２の前方及び後方セグメント上に設けられるのが良い。人工弁尖器具１００は、クリート１１２を用いた心房固定を利用しても良くかつ／あるいは人工弁尖器具１００を定位置に保持するよう心房に対して大きめのサイズの心房固定部材１０２を利用するのが良い。心房固定部材１０２は、弁輪よりも僅かに上方に（例えば、１〜１０ｍｍ）位置するよう構成され、その結果、バッフル１１４を除き、人工弁尖器具１００は、弁輪に取り付けられないようになっている。
【００６０】
バッフル１１４は、心房固定部材１０２の後方部分から遠位側に（例えば、血流の方向に）延びている。バッフル１１４は、前尖のための人工接合面を提供し、このバッフルは、損傷を受け又は違ったやり方で前尖と十分に接合しない生まれつきの尖を変位させる。これについては図２Ｄ‐１を参照されたい。バッフル１１４は、これらの機能を提供する一方で、他の尖との接合を促進し、又は違ったやり方で可能にするとともにバッフル周りの血流を促進するよう形作られるのが良い。バッフル１１４は、例えば、涙滴形状を有し、これが上方に延びるにつれて球状接合面から左心房の後方壁に向かってテーパしている。（これについては、例えば、図３Ｅを参照されたい）。
【００６１】
バッフル１１４は、これが同一の金属フレームから作られるように心房固定部材１０２と一体であるのが良い。バッフル１１４は、変形例として、別の要素から作られて、例えばバッフル１１４又は心房固定部材１０２に設けられたストラットによって心房固定部材１０２の一部分に連結されても良い。
【００６２】
幾つかの実施形態では、バッフル１１４は、心房固定部材１０２に取り付けられた生体適合性フォームで作られるのが良い。バッフル１１４は、変形例として、他の尖、例えば心房固定部材１０２に取り付けられたインフレート可能なブラダ（又は袋）を有するバッフル１１４との密封を促進するために調節可能な形状を有しても良い。
【００６３】
バッフル１１４はまた、人工弁尖器具１００の固定に寄与することができる。バッフル１１４の後方部分は、後尖及び／又は弁輪と係合するよう構成された摩擦要素、例えばクリート１１２を有するのが良い。バッフル１１４の後方部分はまた、弁輪、心室壁、及び心房壁の幾何学的形状に係合するよう形作られるのが良い。例えば、バッフル１１４の後方部分は、弁輪に係合し、それにより心房又は心室方向への移動を阻止するよう心房端部から心室端部まで凹状の形状を有するのが良い。
【００６４】
図２Ａ〜図２Ｃを参照すると、バッフル１１４は、中空内部を包囲し又は取り囲んだバスケット状の形状を有するのが良い。バスケット形バッフル１１４は、橋渡し部分１２０（図２Ｅ‐２）によって後方ストラット１１８（図２Ａ及び図２Ｃ）に連結された前方ストラット１１６（図２Ｂ及び図２Ｃ）を有するのが良い。被覆１０８のために用いられたのと同一の材料であるのが良い生体適合性被覆１２２が弁の隣り合う尖との流体密シールをもたらすようバッフル１１４に取り付けられている。前方ストラット１１６は、例えば単一の管状メッシュから橋渡し部分１２０及び後方ストラット１１８に連結されるのが良く又はこれらと一体に形成されるのが良い。この実施形態では、バッフル１１４は、弁輪を横切って心室中に延びる人工弁尖器具１００の唯一の部分である。これについては、図２Ｄを参照されたい。
【００６５】
バッフル１１４は、後方壁及び隣接の尖との接合を容易にするとともに、弁の適正な閉鎖を保証し、血流を最適化して乱流及び／又は凝血塊の形成を阻止するよう種々の形状をとることができる。バッフル１１４はまた、心周期全体を通じて、しかも配備及び回収を容易にするために、バッフル１１４の安定性を最適化するよう構成されているのが良い。多くの実施形態では、前方ストラット１１６は、ルーメン１０２Ｌ中に突き出、この前方ストラットは、前尖ＡＬのための無外傷性接合面を提供するよう構成された凸状の形状を有する。（これについては例えば図２Ｅを参照されたい）。
【００６６】
前方ストラット１１６は、後方ストラット１１８のまたがる幅とは独立しているのが良い（垂直軸線ＶＡに直行している）を跨いでいる。前方ストラット１１６の跨がる幅は、近位端部１１６Ａのところの幅が図２Ｃに示されているように遠位端部１１６Ｂのところの幅に等しいようにこれらの長さに沿って一様であるのが良い。しかしながら、幾つかの実施形態では、近位端部１１６Ａのところで前方ストラット１１６の跨がる幅は、ウイング状部分を形成する遠位端部１１６Ｂのところの幅よりも僅かに長く、それにより封止及び接合を容易にすることができる。前方ストラット１１６は、前尖のための無外傷性接合面をもたらすようになっている。したがって、前方ストラット１１６は、好ましくは、クリート１１２を全く備えない。加うるに、前方ストラット１１６の幅及び／又はストラット相互間の間隔は、前尖のための無外傷性接合構造体の実現を保証するよう調節可能であるのが良い。換言すると、前方ストラット１１６は、ストラット１０４及び／又はストラット１１８よりも広く又はより密な間隔を置いて位置するのが良い。
【００６７】
後方ストラット１１８は、全体として垂直軸線ＶＡに平行であっても良く、あるいは、これら後方ストラットは、心室壁に合う幾分弧状の形状を有しても良い。他の実施形態では、後方ストラット１１８は、互いに平行なストラットと比較して心室壁及び乳頭筋との接触を減少させためにルーメン１０２Ｌに向かって角度をなして延びていても良い。後方ストラット１１８は、心室壁との接触を減少させ又は増大させるために、垂直軸線ＶＡに対して０°〜７０°の範囲にある角度アルファ（図３Ｂに示されている）又は垂直軸線ＶＡに対して９０°〜１８０°の範囲にある角度ベータをなして延びていても良い。後方ストラット１１８と垂直壁との接触を減少させることによって、人工弁尖器具１００は、生まれつきの弁輪に対してより一定した位置のままでいることができる。これは、人工弁尖器具１００とこれに対向した生まれつきの尖との一貫した接合を提供することが見込まれる。変形例として、凹状の形状（後方壁の心房部分と心室部分とのなす１８０°未満の角度ベータ）を提供することにより、この器具を弁輪上に適切に位置決めするとともに心房又は心室方向における器具の移動を阻止するのを助けることが容易になる。
【００６８】
後方ストラット１１８は、人工弁尖器具１００の固定を助けるクリート１１２（図２Ｂ）を有するのが良い。クリート１１２は、例えば、後尖ＰＬに当接するとともにこれに係合する。幾つかの実施形態では、クリート１１２はまた、後方弁輪又は心室壁と係合することができる。バッフル１１４の心室側端部のところのクリート１１２は、薄い後尖組織に係合するよう短いのが良く、これに対し、バッフル１１４の環状端部のところのクリートは、環状組織に係合するよう長いのが良い。
【００６９】
後方ストラット１１８のまたがる幅Ｗは、３つ全てのスカラップＰ１，Ｐ２，Ｐ３を含む後尖の全幅（例えば、２５〜５５ｍｍ）を跨ぐよう構成されているのが良い。しかしながら、現時点において好ましい実施形態によれば、後方ストラット１１８の跨がる幅は、後尖ＰＬの全幅よりも小さい。具体的に説明すると、後方ストラット１１８は、中間スカラップＰ２の幅（例えば、２０〜３５ｍｍ）よりも幅が幾分広いよう校正されており、その結果、ストラット１１８は、中間スカラップＰ２のみを変位させるとともに少なくともこれを部分的に動かなくし、又はスカラップＰ１，Ｐ３の一部にのみ係合するようになっている。これにより、スカラップＰ１，Ｐ３又はスカラプＰ１，Ｐ３の少なくとも一部分は、少なくとも幾分無傷状態のままであり、その結果、これらスカラップは、動くことができかつバッフル１１４及び／又は後尖のセグメントＡ１，Ａ３と接合することができるようになっている（これについては、図２Ｄ‐２に示されたスカラップＰ１，Ｐ３の破線を参照されたい）。その結果、バッフル１１４が中間スカラップＰ２よりも幅が僅かに広い場合、バッフル１１４は、スカラップＰ２の全てに係合し、例え人工器具１００が僧帽弁と僅かに回転的に位置合わせ不良である場合であってもスカラップＰ１，Ｐ３と接合する。
【００７０】
この実施形態では、前方ストラット１１６と後方ストラット１１８は、中空内容積部及びアイレット１１０に向いた（近位側、心房方向）開口部又は口１２６（図２Ｃ）を備えたバスケット又はポケット１２４（図２Ｃ）を協働して構成している。（これについては、図２Ｄ‐２もまた参照されたい）。開口部１２６は別として、バスケット１２４は、全ての側が被覆１２２によって封止されている。上述したように、心房固定部材１０２のファブリック被覆１０８は、完全のオプションであり、さらに、これが流体密シールの提供とは対称的に組織内方成長又は保護のために用いられるので不連続であるのが良い。これとは対称的に、バッフル１１４のファブリック被覆１２２は、心室壁及び弁の他の尖との流体密シールを提供するようになっている。バスケット１２４の形状は、バスケット１２４の中空内部を通る血液の循環を促進するとともに淀んだ血液の堆積を阻止し、それにより血栓の形成を阻止するよう構成されている。加うるに、ファブリック被覆１２２は、好ましくは、前尖が被覆１２２に当接したときに前尖に対する外傷があってもこれを最小限に抑えるよう滑らかである。
【００７１】
被覆１２２は、任意の従来手段によって前方及び後方ストラット１１６，１１８に取り付けられるのが良く、かかる手段としては、縫合糸、接着剤、焼結などが挙げられる。被覆１２２は、前尖のための無外傷性接合面を提供するとともに心収縮中における逆行方向への血液の漏れを阻止するようになっている。被覆１２２は、上述した被覆１０８に用いられているのと同一の材料で形成されるのが良い。
【００７２】
ポケット１２４はまた、口１２６がアイレット１１０から遠ざかって心室に向かって下方（遠位側に）向くよう逆さまにされるのが良い。さらにまた、バスケット１２４の口又は開口部１２６は、被覆１２２で封止されるのが良く、それによりポケット１２４の内容積部が完全に包囲される。これは、非乱流状態の血液流を保証するとともに血栓の形成を阻止する上で有利であると言える。
【００７３】
人工弁尖器具１００は、バッフル１１４が弁輪と接触状態にあり又は弁輪の平面を横切る器具の部分だけであるように僧帽弁の心房内に植え込まれる。（これについては、図２Ｄを参照されたい）。バッフル１１４は、これが心室中に延びているときに弁輪に偶発的に接触する場合がある。幾つかの実施形態では、弁輪に係合するために後方ストラット１１８にはクリート１１２が設けられているが、人工弁尖器具１００は、他の点においては、弁輪には固着されない。特に、特定の用途では、心房固定部材１０２の下縁部は、弁輪よりも１〜１０ｍｍ、１〜８ｍｍ、１〜６ｍｍ、１〜４ｍｍ、３〜９ｍｍ、３〜６ｍｍ、２ｍｍ、３ｍｍ、４ｍｍ、５ｍｍ、６ｍｍ、７ｍｍ、８ｍｍ、又は９ｍｍ上のところに植え込まれ、その結果、心房固定部材１０２は、前尖が通常の生理学的条件下においては自由に開閉することができるよう心房の壁にのみ接触するようになっている。心房固定部材１０２は、心房固定部材１０２の前方セグメントが弁輪の前方部分よりも１０〜３０ｍｍ、１０〜２０ｍｍ、１０〜１５ｍｍ、１５〜３０ｍｍ、１５〜２５ｍｍ、１５〜２０ｍｍ、２０〜３０ｍｍ、１０〜２５ｍｍ、２５〜３０ｍｍ、１０ｍｍ、１５ｍｍ、２０ｍｍ、２５ｍｍ、又は３０ｍｍ上のところに位置し、又は左心房のふたに当たって位置決めされるよう角度がつけられる場合がある。その結果、バッフル１１４は、左心室中に延びる人工器具１００の唯一の部分である。（これについては、図２Ｄを参照されたい）。
【００７４】
幾つかの実施形態では、人工弁尖器具１００は、（ａ）心房固定部材１０２が心房壁に圧接すること及び心房壁とのクリート１１２の摩擦係合によって、及び（ｂ）前尖ＰＬ及び弁輪へのバッフル１１４及びバッフル１１４の任意のクリート１１２の係合によって定位置に保持される。（これについては、例えば図２Ｄ‐１を参照されたい。）したがって、心房固定部材１０２は、クリート１１２を付勢してこれを心房壁に係合させる上で有利である。例えば、心房固定部材１０２の非拘束サイズは、心房の心拡張サイズに対してサイズが僅かに大きめであるのが良く、心房固定部材１０２は、クリート１１２を付勢してこれを心房壁に摩擦係合させる（ルーメン１０２Ｌから遠ざかって）力を及ぼすよう構成された超弾性材料、例えばニチノール（Nitinol （登録商標））で形成されるのが良い。心房固定部材１０２がバルーン拡張型材料、例えばステンレス鋼で作られている場合、心房固定部材１０２は、クリート１１２が心房拡張中ならびに心房収縮中に心房壁に係合するように拡張される。
【００７５】
心房固定部材１０２は、非対称形状を有するのが良く、心房固定部材１０２の前方部分の近位縁が心房固定部材１０２の後方部分の近位縁に対して垂直に変位している。加うるに、心房固定部材１０２の前方部分の高さは、心房固定部材１０２の後方部分よりも高い又は短いのが良い。
【００７６】
心房固定部材１０２の剛性は、非一様であるのが良く、心房固定部材１０２の別の部分は、他の部分よりも剛性が高い。例えば、心房固定部材１０２の前方部分は、心房固定部材１０２の後方部分よりも可撓性が高いのが良く、又はこれとは逆の関係であっても良い。これを達成する多くの方法が存在する。例えば、心房固定部材１０２の一部分の剛性は、心房固定部材１０２の１つの部分が別の部分よりも剛性が高くなるように、ストラットを短くし、厚くし、又は広幅にすることによって、あるいは隣り合うストラット相互間の間隔を短くすることによって調節できる。
【００７７】
バッフル１１４の形状を現場で変更し又は違ったやり方で制御して前尖とバッフルの接合ならびにバッフルによる前尖の封止を保証することが望ましい場合がある。これを達成する多くの方法が存在する。
【００７８】
インフレート可能ブラダを含むバッフル
図２Ｅ‐１〜図２Ｆ‐３は、バッフル１１４の寸法及び／又は形状を現場で（体内で）調節する手法を示している。図２Ｅ‐１及び図２Ｅ‐２は、バッフル１１４の中空内部１２４中に挿入されたブラダ１１５を示している。ブラダ１１５は、生理食塩水、血液、ゲル又はポリマーでインフレーションルーメン１１７を介して現場で選択的にインフレートされるのが良く、インフレーションルーメン１１７は、体の外部に延びている。ブラダ１１５のインフレーションにより、バッフルの形状が変えられる。特に、ブラダ１１５のインフレーションは、バッフル１１４がルーメン１０２Ｌ中に突き出る量を調節する。前方ストラット１１６は、前方ストラット１１６が軸線ＶＡ‐ＶＡに向かって内方に優先的に変形する一方で、後方ストラット１１８が変形しないかあるいは前方ストラット１１６が内方に変形する程度よりも小さい程度まで外方に変形するかのいずれかであるようにするために後方ストラット１１８よりも剛性が低いよう構成されているのが良い。ブラダ１１５をインフレートさせることにより、前方ストラットが撓んでルーメン１０２Ｌ中に入るとともに前方（対向した）尖がバッフル１１４の無外傷性表面と接合するために移動しなければならない距離が減少する。前方ストラット１１６は、ブラダが前方ストラット１１６を可塑的に（永続的に）再成型することができるようにするためにステンレス鋼などで作られることが有用な場合がある。
【００７９】
図２Ｆ‐１〜図２Ｆ‐３は、１つ又は２つ以上のブラダ１１５（例えば、ブラダ１１５Ａ〜１１５Ｃが示されているので図２Ｆ‐１で識別される）をバッフル１１４の前方に向いた部分上に設けることによって人工接合面の寸法を調節するための別の手法を示している。第１のブラダ１１５Ａが前方ストラット１１６の中央部分上に設けられるのが良く、このブラダは、前尖の中央ローブＡ１と一致するよう寸法決めされるのが良い。変形例として、第１のブラダ１１５Ａは、このブラダが全部で３つのローブＡ１，Ａ２，Ａ３と一致するようバッフル１１４の全幅にわたるよう寸法決めされても良い。この場合、第１のブラダ１１５Ａは、無外傷性接合面としての役目を果たす。ブラダをインフレートさせることにより、第１のブラダ１１５Ａがルーメン１０２Ｌ中に延びる量が変えられ、それによりバッフルと前尖との間の間隔が減少する。
【００８０】
図２Ｆ‐３は、前方ストラット１１６に設けられたブラダ１１５Ａ，１１５Ｂ，１１５Ｃが前尖のスカラップＡ１，Ａ２，Ａ３と一致するよう構成された器具２５０を示している。ブラダ１１５Ａ〜１１５Ｃの各々は、バッフル１１４の形状をさらに制御するために別個独立にインフレート可能である。その結果、器具２５０は、前尖のスカラップＡ１，Ａ２，Ａ３に対して又は特定の前尖の独特の特徴に対して器具２５０の回転変位を許容するよう現場で付形可能である。
【００８１】
調節機構体を備えたバッフル
シャフト１１９を作動させることにより、バッフルと心房固定部材との近位側（心房側）連結の場所が調節され、それにより、バッフル１１４がルーメン１０２Ｌ中に延びる量が調節される。バッフルの寸法形状を調節するための別の手法は、作動的にバッフル１１４に連結されるとともに体の外部からシャフト１１９によって作動される１つ又は２つ以上の調節機構体１１７、例えばウォーム駆動装置１１７Ａ（図２Ｈ）又はラチェット１１７Ｂ（図２Ｇ‐１〜図２Ｇ‐３）を提供することにある。図２Ｇ‐１〜図２Ｇ‐３は、ラチェット１１７Ｂを備えたバッフル１１４の形状がシャフト１１９を押すことによってどのように調節されるかを示している。例えば、シャフト１１９をラチェット１１７Ｂ中に挿入すると、シャフト１１９により、バッフル１１４は、さらに湾曲する。その結果、シャフト１１９を作動させることにより、バッフルと心房固定部材との近位側（心房側）連結の場所が調節され、それによりバッフル１１４がルーメン１０２Ｌ中に延びる量が調節される。縫合糸又はケーブル（図示せず）がラチェットのロック解除を容易にするためにラチェット解除装置に作動的に連結されている。バッフル１１４の側部は、バッフル１１４の膨張又は収縮を可能にするよう膨張可能な材料１２２、例えばＰＴＦＥ又はウレタンで覆われるのが良い。
【００８２】
図２Ｈは、バッフル１１４の形状を変えるためのウォーム駆動装置１１７Ａから成る調節機構体を備えた人工弁尖器具の一実施形態を示している。作用を説明すると、遠位端部のところに係合要素を備えたシャフト１１９をウォーム駆動装置１１７Ａに係合させる。シャフト１１９を回転させ、それによりウォーム駆動装置１１７Ａが短縮する。ウォーム駆動装置１１７Ａの短縮により、バッフル１１４が曲がり、その結果、バッフル１１４は、人工弁尖器具のルーメン中にさらに延びる。その結果、ウォーム駆動装置１１７Ａは、バッフル１１４を調節して生まれつきの弁尖との所望の接合量を提供することができる。
【００８３】
スカート又はヘムを備えた人工弁尖器具
図２Ｉは、上記において示した後方人工弁尖器具１００の僅かな変形例である後方人工弁尖器具２００を示している。同一の参照符号は、同一又はほぼ同一の特徴を示している。人工器具２００は、心房固定部材の遠位端部から血流の方向に（例えば、遠位側に又は弁輪に向かって）垂下し又は延びた環状ヘム２０２を有している。環状ヘム２０２は、被覆２０４及び被覆２０４を付勢してこれをルーメン１０２Ｌから遠ざけ、すなわち心房壁に向かって付勢する構造的補強材２０６を有する。構造的補強材２０６は、被覆２０４によって人工器具２００に連結されても良く、もしそうでない場合は、人工器具２００に取り付けられない。被覆２０４は、被覆１０８，１２２と一体成型されても良く又はこれと一体に連結されても良く、あるいは、被覆２０４は、心房固定部材１０２に取り付けられても良い。被覆２０４は、組織内方成長を促進するよう構成されており、この被覆は、被覆１０８と同種の材料又はこれとは異なる材料で形勢可能である。構造的補強材２０６は、被覆２０４に対して環状（半径方向）支持体となるに過ぎないようになっており、この構造的補強材は、被覆の垂直方向運動、すなわち垂直軸線ＶＡに平行な運動を拘束することがないよう特別に構成されている。より具体的に言えば、構造的補強材２０６は、被覆２０４を付勢してこれをルーメン１０２Ｌから遠ざける（心房壁中に付勢する）。使用にあたり、人工弁尖器具２００を左心房内に植え込んでヘム１０２が僧帽弁輪よりも僅かに（０〜１０ｍｍ）上に位置するようにする。
【００８４】
シェブロンなしの人工弁尖器具
図３Ａ〜図３Ｅは、後方人工弁尖器具１００の変形例である人工弁尖器具２５０を示している。同一の参照符号は、同一又はほぼ同一の特徴を示している。人工弁尖器具２５０は、人工器具１００を運搬して位置決めするためのシェブロン１０２Ｖ（図２Ａ及び図２Ｂ）を備えていない。シェブロン１０２Ｖ及びアイレット１１０に代えて、人工弁尖器具２５０は、バッフル１１４の周囲を少なくとも部分的に跨ぐ第１の組をなす縫合糸ループ２５２及び心房固定部材１０２の周囲を少なくとも部分的に跨ぐ第２の組をなす縫合糸ループ２５４を有するのが良い。第１及び第２の組をなす縫合糸ループ２５２，２５４は、２つ又は３つ以上の縫合糸ループを含む。図示の実施形態では、第２の組をなす縫合糸ループ２５４は、心房固定部材１０２の遠位端部の近くに設けられるが、ループ２５４は、所望に応じて心房固定部材１０２上の任意の場所に位置決め可能である。第３の組をなすループが所望ならば心房固定部材１０２上に設けられても良く、この第３の組をなすループは、縫合糸ループ２５２，２５４とは別個独立に締められるのが良い。縫合糸ループ２５２，２５４は、フィラメント（縫合糸）２５２Ｓ，２５４Ｓなどを受け入れるよう構成されており、かかるフィラメント（縫合糸）などは、縫合糸を締め付けることによって心房固定部材１０２及び／又はバッフル１１４を選択的に潰すために使用できる。バッフル１１４及び心房固定部材１０２を互いに別個独立に潰すことができる。心房固定部材１０２及びバッフル１１４を潰すことにより、人工弁尖器具２５０の再位置決め及び／又は再外装ならびに取り外しを容易にする。
【００８５】
１つ又は２つ以上の追加の縫合糸ループ２５６がバッフル１１４上に設けられるのが良く、かかる追加の縫合糸ループは、フィラメント（縫合糸）２５６Ｓを受け入れるよう構成されている。縫合糸ループ２５６は、オプションであり、かかる縫合糸ループは、再位置決め又は取り外すためにバッフル１１４を圧縮するために使用可能である。縫合糸ループ２５６はまた、人工弁尖器具２５０を人工器具２５０の再位置決め及び／又は再外装のために弁輪から離脱させる別の方法として縫合糸２５６Ｓを引くことによって人工弁尖器具２５０を裏返すために使用可能である。図示の実施形態では、第３の縫合糸ループ２５６は、バッフル１１４の前方側に、すなわちルーメン１０２Ｌに向いた側に設けられている。
【００８６】
図３Ｂで最も良く理解されるように、バッフル１１４の後方ストラット１１８は、垂直軸線に対して角度アルファをなして延びるのが良い。換言すると、バッフル１１４は、心室から内方に遠ざかって血流の方向においてルーメン１０２Ｌに向かって角度をなしているのが良い。この構成は、図２Ａ〜図２Ｅを参照して上述したバッフル１１４の幾つかの実施形態と比較して、バッフル１１４の下流側端部を心室壁の半径方向内方に離隔させ、又は少なくとも、心室壁によってバッフル１１４に及ぼされた力が減少する。これは、人工器具２５０の運動を減少させることが見込まれる。
【００８７】
変形例として、バッフル１１４の後方側部は、弁輪のための追加のクリアランスを提供するようバッフル１１４上の生まれつきの弁輪の位置に対応した高さ位置で外側に延びる小さな切欠き又は他の凹み（図示せず）を有するのが良い。変形例として、バッフル１１４の後方側部は、生まれつきの弁輪に及ぼされた半径方向外向きの力を高めて、後方のやや環状の空間への固着を助けるために心室壁に向かって外方に（ルーメン１０２Ｌから遠ざかって）角度をなしていても良い。
【００８８】
幾つかの実施形態では、バッフル１１４は、生体適合性フォームで形成されている。このフォームは、小径のカテーテルを通る運搬を可能にするよう圧縮可能であるのが良くかつ運搬後にその所望の形状を再び取るよう自己拡張型であるのが良い。フォームバッフル１１４の一部分又は全ては、組織内方成長又は接合面の無外傷性を高めるために、さらに生体適合性材料、例えば発泡ポリテトラフルオロエチレンによって覆われるのが良い。バッフル１１４は、例えば、涙滴の形状を有するのが良い。（これについては、例えば図３Ｅを参照されたい）。例えばフォームバッフル１１４の後方部分上にはストラットが設けられるのが良く、これらストラットは、心房固定部材の後方部分に連結される。バッフル１１４の後方部分は、後尖及び場合によっては弁輪と係合するよう構成された摩擦要素、例えばクリート１１２を有するのが良い。
【００８９】
部分前方心室固定部材を備えた人工弁尖器具
図４Ａ及び図４Ｂは、前尖の周囲の一部又は全て（例えば、スカラップＡ１，Ａ２，Ａ３）にまたがるよう構成された心房固定部材３０２を有する人工弁尖器具３００を示している。心房固定部材３０２は、ダイヤモンドパターン又は別の適当なパターンをなしたストラット３０４を有するのが良い。心房固定部材３０２の各セルは、開口部又は貫通穴３０６を構成する。新保鬱乎３０２の非拘束形状は、全体として円形又は長円形の形をしているのが良い。心房固定部材３０２は、心房固定部材３０２が人工弁尖器具３００の位置を固定するための少なくともしきい量の半径方向力で左心房壁に接触するよう、任意の個数の貫通穴１０６又は任意の形状もしくは寸法を有することができる。半径方向力は、ストラットの形状及び寸法（例えば、厚さ、幅、及びストラット相互間の間隔）ならびに貫通穴３０６の形状及び寸法を変化させることによって調節できる。
【００９０】
心房固定部材３０２は、任意の生体適合性材料、例えばステンレス鋼、ニッケル‐チタン合金、又はポリマーで作られるのが良い。心房固定部材３０２は、弾性自己拡張性材料又はバルーン拡張型材料であるのが良い。現時点において好ましい実施形態によれば、心房固定部材３０２は、自己拡張性である超弾性ニッケル‐チタン合金、例えば、ニチノール（Nitinol （登録商標））で形成される。
【００９１】
人工弁尖器具３００は、心房固定部材３０２に取り付けられ又はこれと一体であるバッフル３１４をさらに有する。心房固定部材３０２とバッフル３１４は、血液を流通させるルーメン３０２Ｌを協働して構成する。バッフル３１４は、前尖のための無外傷性接合面を提供するようルーメン３０２Ｌ中に突き出るよう構成されている。使用にあたり、人工器具３００を心房固定部材３０２が心房内に位置しかつバッフル３１４が心房から弁輪を横切りそして心室中に延びた状態で植え込む。前尖の全て又は一部をバッフル３１４によって邪魔にならないように押す。人工器具３００の幾つかの実施形態では、ローブＰ１，Ｐ３の少なくとも一部分に接触することなく後尖の中央ローブＰ２と一致するよう寸法決めされており、したがって、ローブＰ１，Ｐ３は、動かないままでありかつバッフル３１４に接合することができる。これにより、バッフル３１４は、上述したバッフル１１４よりも小型にすることができ、このことは、人工器具３００の長期間固定を促進するためにバッフル３１４に及ぼされる力を減少させることが見込まれる。
【００９２】
心房固定部材３０２及び／又はバッフル３１４は、オプションとして、組織中に侵入する（穿刺する）ことなく、弁輪、心房壁及び／又は後尖と摩擦係合する（非侵襲的に）ようになった摩擦要素、例えばクリート３１２を有するのが良い。所望ならば、クリート３１２は、組織中に穿刺するよう構成された先の尖った端部を有するのが良い。幾つかの実施形態では、クリートは、心房固定部材３０２の前方部分及びバッフル３１４の後方部分に設けられる。特定の実施形態では、クリート３１２は、心房固定部材３０２かバッフル３１４かのいずれの外方側部にも設けられない。クリート３１２は、前方心房壁、後尖及び／又は後方弁輪に係合することができる。人工弁尖器具３００は、追加の固着要素、例えばフック、刺部、ねじなどを有するのが良い。
【００９３】
幾つかの実施形態では、バッフル３１４は、生体適合性フォームで形成される。バッフル３１４の後方部分は、後尖及び場合によっては弁輪に係合するよう構成された摩擦要素、例えばクリート３１２を有するのが良い。
【００９４】
他の実施形態では、バッフル３１４は、開いた又は閉じられたバスケット型バッフル、例えば図２Ｂに示されているバッフルであるのが良い。バッフル３１４は、例えば、図２Ｂ及び図２Ｃを参照して上述したバッフル１１４とほぼ同じであるのが良く、その結果、前方ストラット３１６と後方ストラット３１８（図４Ｂ）は、バッフル３１４の一部分を構成し、これらストラットは、上述した被覆１０８に用いられたのと同一の材料であるのが良い生体適合性被覆３２２によって被覆されるのが良い。バッフル３１４は、僧帽弁用途において前尖のための無外傷性接合面を提供するよう構成されている。上述したように、ストラット３１６相互間の間隔及びストラット３１６の幅は、前尖のための無外傷性接合面の提供を保証するよう変更可能である。
【００９５】
三角アンカー及び／又は後方フック
図５Ａ及び図５Ｂは、人工器具３００の変形例である別の人工弁尖器具４５０を示している。人工器具４５０は、後尖の一部又は全て（スカラップＰ１，Ｐ２，Ｐ３）の周囲を後方交連まで跨ぐよう構成された固定リング４０２（例えば、部分的に円形のリング、部分的に長円形のリングなど）を有する。後尖器具４５０は、人工器具３００の心房固定部材３０２を１つ又は２つ以上の三角延長部４１６，４１６Ａで置き換えている。三角延長部４１６，４１６Ａは、線維三角（図１）まで延びている。前尖に当たるのを回避するため、三角延長部は、垂直に（近位側に―心房に向かってかつ弁輪から遠ざかって）オフセットするのが良くかつ／あるいは弁輪の周辺を囲むよう湾曲するのが良い。人工器具４５０は、オプションとして、バッフル及び／又はリング４０２に設けられたクリート４１２を有するのが良い。図５Ａは、三角延長部及び後方フックの両方を備えた人工器具４５０を示しているが、図示の実施形態は、本発明を限定するものではなく、したがって、これら特徴の各々は、前方心房固定部材及び後方クリートに加えて又はこれらに代えて、人工器具４５０に別々に組み込み可能である。三角延長部４１６，４１６Ａは、線維三角に係合するようになっている。三角延長部４１６は、この延長部の遠位端部のところに設けられていて、線維三角中に穿刺するよう構成されたアンカーを有し、これに対し、三角延長部４１６Ａは、線維三角に侵襲的に係合するようになった無外傷性（湾曲した又は尖っていない）端部を有する。例示のため、図５Ａに示された人工弁尖器具は、三角延長部４１６，４１６Ａをそれぞれ１つ有するが、使用にあたり、人工弁尖器具は、通常、１組の共通三角延長部４１６又は１組の共通三角延長部４１６Ａを有する。
【００９６】
三角延長部４１６，４１６Ａは、リング４０２から線維三角まで（水平軸線ＨＡに平行に）延びている。三角延長部４１６，４１６Ａは、真っ直ぐであっても良く、あるいは湾曲していても良い。前尖の通常の運動を乱すのを最小限に抑えるため、三角延長部４１６，４１６Ａは、前方弁輪の周辺を囲むよう弧状の形状を有することが望ましい場合がある。追加的に又は代替的に、三角延長部は、前尖を回避するためにリング４０２から幾分垂直に（近位側に）延びても良い。
【００９７】
人工弁尖器具４５０は、オプションとして、リング４０２の後方部分に取り付けられた１つ又は２つ以上の後方フック４２０を有するのが良い。別々に図示していないが、後方フック４２０は、後尖及び後方弁輪に係合する後方クリート４１２に代えて又はこれに加えて設けられるのが良い。後方フック４２０は、全体として垂直の方向に遠位側に延びる全体として真っ直ぐな部分４２０Ｖ及び弁輪、後方心室壁及び／又は後尖の縁部の心室側に無外傷的に係合するよう構成された後方に湾曲している部分４２０Ｃを有する。
【００９８】
人工弁尖器具４５０は、ルーメン４０２Ｌ中に突き出ていてかつ前尖のための無外傷性接合面を提供する遠位部分リング４０２に取り付けられたバッフル４１４を有する。僧帽弁用途では、人工器具４５０は、三角延長部４１６，４１６Ａが弁輪の高さ位置に位置した状態で植え込まれ、その結果、バッフル４１４は、心室中に延びる。バッフル４１４は、後尖の全て又は一部を邪魔にならないよう変位させる。幾つかの実施形態によれば、人工器具４５０は、ローブＰ１，Ｐ３が可動であってかつバッフル４１４と接合することができるよう後尖の中央ローブＰ２と一致するよう寸法決めされている。これについては、図６Ｂを参照されたい。
【００９９】
幾つかの実施形態では、バッフル４１４は、生体適合性フォームで形成される。バッフル４１４は、例えば、涙滴の形状を有するのが良い。他の実施形態では、バッフル４１４は、図示のようにかつ図２Ｂを参照して説明したように中空内容積部を包囲したバスケットの形状を有する。かくして、バスケット型バッフル４１４は、生体適合性被覆４０８によって被覆された複数のストラットを有するのが良く、生体適合性被覆４０８は、上述した被覆１０８に用いられたのと同一の材料であるのが良い。バッフル４１４は、逆流性の血流を阻止するとともに前尖のための無外傷性接合面を提供するよう構成されている。
【０１００】
後方心房固定部材を備えた人工弁尖器具
図６Ａ及び図６Ｂは、メッシュ、例えばブレード又はステント状構造体で形成された固定リング部材６０２を有する人工弁尖器具６００を示しており、固定リング部材６０２は、複数のセルを構成するワイヤ又はストラット６０４を有し、各セルは、貫通穴又は開口部６０６を有している。分かりやすくするために、人工弁尖器具６００は、僧帽弁用途向けに逆さまにされた状態で示され、かかる下流側端部は、上流側端部の上方に位置している。開口部６０６の寸法、形状、及び数は、固定を保証するよう半径方向力を最適化するために選択されている。オプションとしての橋渡し要素６０２Ｂ（想像線で示されている）が固定リング部材６０２の端部を互いに連結するのが良く、その結果、橋渡し要素６０２Ｂと固定リング部材６０２は、協働してルーメン６０２Ｌを構成し、このルーメン６０２Ｌは、作動の際、心房と心室を流体結合する。リングセグメント６０２及び橋渡し要素６０２Ｂは、生体適合性材料で作られるのが良く、かかる生体適合性材料としては、超弾性自己拡張性材料、例えばニッケル‐チタン合金又はバルーン拡張型材料、例えばステンレス鋼が挙げられる。例えば、リングセグメント６０２及び橋渡し要素６０２Ｂは、ニッケル‐チタン合金で形成される。
【０１０１】
人工器具６００は、心房から心室までの血流の流れ方向である垂直軸線ＶＡ及びこの垂直軸線と直交した水平軸線を有する。人工弁尖器具６００は、前方側部及び後方側部を有する。
【０１０２】
リング要素６０２は、リング６０２に取り付けられ又はこれと一体に形成された複数のバッフル支持体（ストラット）６１８（図６Ｂ）を有する。人工器具６００は、ストラット６１８に取り付けられたバッフル６１４をさらに有する。
【０１０３】
幾つかの実施形態では、バッフル６１４は、生体適合性フォームで形成される。バッフル６１４は、例えば、涙滴の形状を有するのが良い。バッフル６１４の後方部分及び／又はストラット６１８は、後尖及び場合によっては弁輪と係合するよう構成された複数の摩擦係合部分又はクリート６１２を有するのが良い。
【０１０４】
他の実施形態では、バッフル６１４は、バスケットの形状を有するのが良く（例えば、図３Ａに示されたバッフル１１４のように）、生体適合性被覆６０８が凸状無外傷性表面を形成するようストラット６１８に取り付けられており、前尖は、この凸状無外傷性表面に接合することができる。バッフル６１４は、バッフル６１４の一部分が後尖の閉鎖位置に近づくようルーメン６０２Ｌ中に突き出ている。バッフルの平滑度、ストラット６１８の幅、及びストラット６１８相互間の間隔は、全て、無外傷性接合面の提供に寄与する。
【０１０５】
生体適合性被覆６０８は、ポリマー又はバイオマテリアル（ポリエチレンテレフタレート（ＰＥＴ）、発泡ポリテトラフルオロエチレン（ｅＰＴＦＥ）、シリコーン、ウレタン、心膜など）で形成されたファブリックであるのが良い。被覆６０８は、任意の従来手段によってリングセグメント６０２に取り付けられるのが良く、かかる従来手段としては、縫合糸、接着剤、焼結などが挙げられる。幾つかの実施形態では、被覆６０８は、ストラット６１８に縫いつけられるのが良い。
【０１０６】
人工器具６００の最も上流側の端部のところに配置された固定リング６０２の最も上側の列をなすストラット６０４は、複数の逆Ｖ字形構造体又はクラウン箇所もしくはシェブロン６０４Ｖを形成する。シェブロン６０４Ｖの幾つか（必ずしも全てではない）は、Ｖの頂点のところにアイレット６１０を有する。アイレット６１０は、人工弁尖器具６００を運搬カテーテル（図示せず）に送り出し、差し向け、そして回収したり、人工弁尖器具６００を運搬カテーテルから送り出し、差し向け、そして回収したりするために用いられる縫合糸ストランド（図示せず）を受け入れるよう寸法決めされている。シェブロン６０４Ｖは、全体として垂直に（垂直軸線ＶＡに平行に）に延びても良く、あるいは、これらシェブロンは、ルーメン６０２Ｌに向かって角度をなしていても良い。
【０１０７】
固定リング６０２及び橋渡し部分６０２Ｂは、心房の壁に摩擦係合するようになった複数の摩擦係合要素又はクリート６１２を有するのが良い。幾つかの実施形態では、クリート６１２は、心房壁の組織中に穿刺するよう構成された尖った端部を有するのが良い。固定リング６０２は、リングの一部が心房内に位置し、一部が心室内に位置した状態で後方僧帽弁輪を跨ぐよう構成されている。橋渡し部分６０２Ｂは、前方弁輪の周辺を囲み又は場合によっては後尖との干渉を回避するよう前方交連から後方交連まで延びるよう構成され、かかる橋渡し部分は、心室中には延びてはいない。クリート６１２は、ストラット６０４と一体形成されても良く、又はこれに一体に取り付けられても良く、そしてこれらクリートは、上流側にアイレット６１０に向かって（例えば、近位側に、僧帽弁用途において心室から遠ざかって）かつ／あるいは下流側にアイレット６１０から遠ざかって（例えば、遠位側に、心室に向かって）延びても良く、あるいは、これらクリートは、両方の方向に向いていても良い。クリート６１２は、ストラットと一体形成されかつアイレット６１０に向かって近位側に延びている。
【０１０８】
後方フックを備えた人工弁尖器具
図７Ａ〜図７Ｃは、メッシュ又はステント状材料で形成された固定リングセグメント７０２を有する人工弁尖器具７００を示しており、固定リングセグメント７０２は、複数のセルを構成する複数のストラット７０４を有し、各セルは、貫通穴又は開口部７０６を有している。開口部７０６の寸法、形状及び数は、大きすぎる力を組織に及ぼすことなく、人工器具７００の十分な固定を可能にするよう構成されているのが良い。人工器具７００は、橋渡し要素７０２Ｂをさらに有するのが良く、橋渡し要素７０２Ｂは、この橋渡し要素７０２Ｂとリングセグメント７０２が、作動の際に心房と心室を流体結合するルーメン７０２Ｌを協働して構成するようリングセグメント７０２の端部を互いに連結している。リングセグメント７０２及び橋渡し要素７０２Ｂは、任意の生体適合性材料で形成でき、かかる生体適合性材料としては、超弾性自己拡張性材料、例えばニッケル‐チタン合金又はバルーン拡張型材料、例えばステンレス鋼が挙げられる。例えば、リングセグメント７０２及び橋渡し要素７０２Ｂは、特定の実施形態では、ニッケル‐チタン合金で形成される。リングセグメント７０２は、リング雪面と７０２に取り付けられ又はこれと一体に形成された複数のバッフル支持体（ストラット）７１３を有する。
【０１０９】
人工器具７００は、ストラット７１３に取り付けられたバッフル７１４をさらに有する。幾つかの実施形態では、バッフル７１４は、生体適合性フォームで形成される。バッフル７１４は、例えば、涙滴の形状を有するのが良い。バッフル７１４の後方部分は、後尖及び場合によっては弁輪と係合するよう構成された複数の摩擦係合部分又はクリート７１２を有するのが良い。他の実施形態では、バッフルは、生体適合性被覆７０８を備えたバスケット形状（例えば、図３Ａのバッフル１１４）を有するのが良く、生体適合性被覆７０８は、バッフル７１４を形成するよう支持体７１３に取り付けられており、バッフル７１４は、無外傷性の表面を提供し、前尖がこの無外傷性表面に当接することができる。生体適合性被覆７０８は、ポリマー又はバイオマテリアル（ポリエチレンテレフタレート（ＰＥＴ）、発泡ポリテトラフルオロエチレン（ｅＰＴＦＥ）、シリコーン、ウレタン、心膜など）で形成されたファブリックであるのが良い。被覆７０８は、任意の従来手段によってリング７０２に取り付けられるのが良く、かかる従来手段としては、縫合糸、接着剤、焼結などが挙げられる。かくして、使用にあたり、バッフル７１４は、後尖に取って代わる。
【０１１０】
リングセグメント７０２及び橋渡し部分７０２Ｂは、心房の壁に摩擦係合するようになった複数の摩擦係合部分又はクリート７１２を有するのが良い。例えば、クリート７１２は、心房壁の組織中に穿刺することなく、組織中に「テント状に入り込む」のが良い。リングセグメント７０２は、リングの一部が心房内に位置し、一部が心室内に位置した状態で後方僧帽弁輪を跨ぐよう構成されている。橋渡し部分７０２Ｂは、前方弁輪の周辺を囲むよう構成されていて、心室中には延びていない。クリート７１２は、ストラット７０４と一体形成されても良く、又はこれに一体に取り付けられても良く、そしてこれらクリートは、上流側に（例えば、近位側に、心室から遠ざかって）かつ／あるいは下流側に（例えば、遠位側に、心室に向かって）延びても良く、あるいは、これらクリートは、両方の方向に向いていても良い。図示の実施形態では、クリート７１２は、ストラットと一体形成されかつ近位側に（上方に）延びている。
【０１１１】
人工弁尖器具７００は、オプションとして、リングセグメント７０２の後方部分に取り付けられた後方フック７２０を有するのが良い。後方フック７２０は、弁輪の心室側、後方心室壁、及び／又は後尖の自由縁部に無外傷的に係合するよう構成されている。（これについては、図７Ｃを参照されたい）。これは、人工弁尖器具７００を定位置にさらに固定する一方でまた、生まれつきの後尖を保持することが見込まれる。
【０１１２】
半円形人工弁尖器具
図８Ａ及び図８Ｂは、１対の安定化アーム８０２及び安定化８０２に取り付けたバッフル８０４を有する人工弁尖器具８００を示している。安定化アーム８０２は、弧、例えば半円又は半長円形の状態で延び、これら安定化アームは、前外側交連から後外側交連まで後方心房壁に沿って延びるようになっている。安定化アーム８０２は、心房壁と摩擦係合するよう構成されており、これら安定化アームは、非拘束サイズを有するバルーン拡張型材料、例えばステンレス鋼又は自己拡張型材料、例えばニッケル‐チタン合金（例えば、Nitinol （登録商標））で形成でき、この非拘束サイズは、心拡張ならびに心収縮中、心房壁との係合を保証する。安定化アーム８０２は、好ましくは、組織に係合するとともに人工器具８００の固定を助けるようになった複数のクリート８０６を有する。安定化アーム８０２は、オプションとして、組織内方成長を促進するよう生体適合性ファブリック被覆８１０で被覆されるのが良い。
【０１１３】
バッフル８０４は、後尖を変位させて前尖のための無外傷性接合面を提供し、それにより逆流性血流を阻止し又は少なくとも阻害するようになっている。幾つかの実施形態では、バッフル８０４は、生体適合性フォームで形成される。バッフル８０４は、例えば、涙滴の形状を有するのが良い。バッフル８０４の後方部分は、後尖に係合し、場合によっては弁輪に係合するよう構成された複数の摩擦係合部分又はクリート８０６を有するのが良い。他の実施形態では、バッフル８０４は、例えば図２Ｂを参照して説明した中空内部を包囲するバスケットの形状を有するのが良い（図３Ａのバッフル１１４のように）。バッフル８０４は、安定化アーム８０２の後方部分から下流側の方向に（例えば、遠位側に）延び、このバッフルは、組織内方成長を容易にするための細孔を備えた生体適合性被覆８１０により覆われている幾分凸状の構造体を形成する複数のストラット８０８を有する。バッフル８０４の後方側部は、後尖の１つ又は２つ以上のローブに摩擦係合するよう構成されている。バッフルの後方部分のクリート８０６は、被覆８１０によっては妨害されない。
【０１１４】
図８Ｂは、オプションとしてのストラット８１２が安定化アーム８０２の別の自由端部を跨いだ状態の人工弁尖器具８００を示している。ストラット８１２は、安定化アームが心房壁と係合状態のままでいるようにするのを助けることができる。安定化アーム８０２は、前尖交連と後尖交連との間で延びるよう構成されている。
【０１１５】
使用にあたり、人工弁尖器具８００をバッフル８０４が弁輪をまたぎ、バッフル８０４の一部が心室中に延びて後尖と係合した状態で植え込む。安定化アーム８０２は、心房内に位置したままであるのが良く、弁輪の周辺を囲む。
【０１１６】
人工弁尖器具の配備
本明細書に開示した人工弁尖器具の各々を経中隔、経心房、又は経尖方式により運搬するのが良い。インプラントを例えば３〜９ｍｍ、４〜８ｍｍ、５〜７ｍｍ、３ｍｍ、４ｍｍ、５ｍｍ、６ｍｍ、７ｍｍ、８ｍｍ、又は９ｍｍ内径のシースから送り出すのが良く、シースの先端部は、ほぼＰ２のところに位置決めされる。外装外しを制御することにより、インプラントは、定位置で半径方向に拡張して弁輪に後方側で当接する。
【０１１７】
実施形態のうちの幾つかは、最終の解除に先立ってカテーテル内での再位置決め及び／又は再外装のために人工器具を潰し、そしてインプラントの完全な回収を可能にするよう制御ワイヤ又は縫合糸を利用する。円周方向締め要素もまた、バッフル支持要素内に収納して配備中における制御された半径方向拡張を容易にするとともに、インプラントの完全な回収に先立って半径方向収縮を助けるのが良い。他の実施形態では、制御ワイヤ及び／又は制御アームは、心房固定部材の前方部分を回収時に心房固定部分の後方Ｐ２部分に向かって内方に曲げて心房固定部材の直径全体を減少させるとともに組織からの摩擦要素の離脱を保証するのが良い。
【０１１８】
本技術にかかるインプラントの幾つかの実施形態は、経中隔的に送り出される。弁輪内での配置に先立って、人工弁尖器具を部分的に前進させて運搬カテーテルから出して心房中に入れ、ここで、人工弁尖器具を生まれつきの弁に対して回転的に整列させて配備のために準備するのが良い。人工弁尖器具を弁輪中に前進させ、そして拡張させ、そして拡張してその非拘束形状を再びとるようにし、それにより弁輪及びやや環状空間を後方に摩擦要素に係合させ、次に半径方向力により左心房の前方表面に係合させる。一実施形態では、構造的リングの後方特徴部は、送り出し及び／又は回収中、半径方向内方にたためるアクティブな（例えば、可動の）ヒンジを有する。
【０１１９】
幾つかの実施形態では、バッフルは、配備される人工弁尖器具の最初の部分である。これにより、バッフルを生まれつきの弁、特に僧帽弁用途における後尖及び弁輪に対して所望の場所に位置決めすることができる。次に、後方心室フック又はクリートを後尖及び弁輪に係合させる。人工弁尖器具が三角延長部を備えている場合、三角延長部は、カテーテルから配備される人工弁尖器具の次の部分である。構造的リング及び最終的に心房固定部材（設けられている場合）は、左心房中に配備されるべき人工弁尖器具の最後の２つの部分である。
【０１２０】
本技術的思想は、僧帽弁に加えて他の弁に利用できる。例えば、患者によっては、尖のうちの１つの退化又は大動脈基部の拡張に起因して大動脈弁逆流症を患っている患者が存在する。大動脈弁の修復のための器具の一実施形態は、大動脈弁の非冠状弁尖を変位させるブロッカーを有する。ブロッカーの心室側表面は、閉鎖位置では、非冠状弁尖の心室側表面とほぼ同じように形作られている。この心室側表面は、生まれつきの尖よりも幾分広いのが良く、その結果、これは、大動脈弁の他の尖と接合する。ブロッカーの周辺表面は、非冠状静脈洞の形状に全体として合致するよう形作られるのが良い。大動脈管腔の方へ向いた面は、大動脈弁の１〜４ｃｍ下流側に（頭方に）接合面から大動脈壁までテーパしているのが良い。ブロッカーは、ステントに連結されるのが良く、ステントは、大動脈基部又は上行大動脈内に配備され、そしてブロッカーを定位置に保持する。左記の実施形態の場合と同様、ブロッカーは、フォーム又は拡張型金属もしくはポリマーフレームワークから作られるのが良く、かかるフォーム又は拡張型金属もしくはポリマーフレームワークは、弁の他の尖のための無外傷性接合面を形成する発泡ＰＴＦＥ、心膜、又は他の生体適合性組織で被覆されるのが良い。大動脈弁の残りの２つの尖は、これらが狭窄されていない場合、広々とした管腔領域を提供すべきであり、したがって、修復済みの弁は、血液がこれを通って流れているときに過度の圧力勾配を呈することはない。
【０１２１】
代表的な実施例
本技術の実施形態の幾つかの非限定的であるが代表的な実施例が以下の列挙された実施態様項に記載されている。代表的な特徴は、以下の実施態様項に記載されており、これらの実施態様項は、独立形であっても良く又は本明細書の本文及び／又は図面に開示された１つ又は２つ以上の特徴と任意の組み合わせ状態で組み合わされても良い。用語“comprises ”及び“comprising”ならびにこれらの活用形は、原文明細書及び原文特許請求の範囲で用いられた場合、指定された特徴、ステップ、又は整数が含まれることを意味している。これらの用語は、他の特徴、他のステップ、又は他のコンポーネントの存在を排除するものと解されるべきではない。上記実施態様項、又は以下の特許請求の範囲、もしくは添付の図面に開示されていて、特定の形態で表され又は開示した機能を実行するための手段又は開示された結果を達成するための方法又はプロセスによって表された特徴は、適宜、別々に又はかかる特徴の任意の組み合わせ状態で、本発明をその様々な形態で実現するために利用可能である。
〔実施態様項１〕
心臓弁修復器具であって、
配備形態では長円形又は円形の形状を有する拡張可能なメッシュを備えた心房固定部材を有し、上記心房固定部材は、中央ルーメンを備え、
上記心房固定部材の一部分から延びるバッフルを有し、上記バッフルは、生まれつきの心臓弁の１つ又は２つ以上の生まれつきの尖の少なくとも一部分と接合する滑らかな無外傷性の表面を備えた前方部分と、上記生まれつきの心臓弁の別の生まれつきの尖の少なくとも部分的に係合して該一部分を変位させるよう構成された後方部分とを有し、上記バッフルは、上記変位した生まれつきの尖の閉鎖位置に近づくよう上記心房固定部材から上記中央ルーメン中に半径方向内方に延びている、修復器具。
〔実施態様項２〕
上記バッフルは、中空内容積部を有するバスケットを構成するストラットを含み、上記バッフルは、機能的に欠陥のある生まれつきの尖の少なくとも第１の部分に係合して該第１の部分を拘束する一方で、上記機能的に欠陥のある生まれつきの尖の第２の部分を可動状態なままにしておくよう構成された拘束部分をさらに含み、上記バッフルは、上記機能的に欠陥のある尖に関する閉鎖位置に近づくよう上記中央ルーメン中に半径方向内方に延びている、実施態様項１記載の修復器具。
〔実施態様項３〕
上記心房固定部材又は上記バッフルの複数部分に設けられた複数の摩擦要素をさらに有する、実施態様項１又は２記載の修復器具。
〔実施態様項４〕
上記心房固定部材の内側と外側は、どの摩擦要素をも含まない、実施態様項１〜３のうちいずれか一に記載の修復器具。
〔実施態様項５〕
上記バッフルは、中空内部を包囲したバスケットを有する、実施態様項１〜４のうちいずれか一に記載の修復器具。
〔実施態様項６〕
上記バッフルは、複数の前方ストラットと複数の後方ストラットを有し、隙間が上記前方ストラット及び上記後方ストラットの隣り合うストラット相互間に介在して設けられている、実施態様項１〜５のうちいずれか一に記載の修復器具。
〔実施態様項７〕
上記バッフルを少なくとも部分的に包囲したファブリック被覆を有し、
上記バスケットは、上記ファブリックによって覆われていない口を有する、実施態様項１〜６のうちいずれか一に記載の修復器具。
〔実施態様項８〕
上記バッフルを少なくとも部分的に包囲したファブリック被覆を有し、
上記バスケットは、上記ファブリックによって覆われた口を有する、実施態様項１〜６のうちいずれか一に記載の修復器具。
〔実施態様項９〕
上記バッフルは、生体適合性フォームから成る、実施態様項１、３、４、７又は８記載の修復器具。
〔実施態様項１０〕
上記バッフルの上記前方部分は、凸形状を有する、実施態様項１〜９のうちいずれか一に記載の修復器具。
〔実施態様項１１〕
上記バッフルの上記後方部分は、３つのスカラップを有する生まれつきの僧帽弁尖の中央スカラップに係合する一方で、残りの上記２つのスカラップを可動状態のままにするよう寸法決めされている、実施態様項１〜１０のうちいずれか一に記載の修復器具。
〔実施態様項１２〕
上記心房固定部材の周りに周方向に設けられた第１の組をなす複数の縫合糸ループをさらに有し、上記第１の組をなす縫合糸ループのうちの各縫合糸ループは、ルーメンを有し、
上記縫合糸ループの上記ルーメン内に設けられるとともに隣り合う縫合糸ループを相互に連結した第１の縫合糸を有し、
上記心房固定部材の直径は、上記第１の縫合糸を締めることによって調節される、実施態様項１〜１１のうちいずれか一に記載の修復器具。
〔実施態様項１３〕
上記バッフルの周りに円周方向に設けられた第２の組をなす複数の縫合糸ループをさらに有し、上記第２の組をなす縫合糸ループのうちの各縫合糸ループは、ルーメンを有し、
上記縫合糸ループの上記ルーメン内に設けられるとともに隣り合う縫合糸ループを相互に連結した第２の縫合糸を有し、
上記バッフルの直径は、上記第２の縫合糸を締めることによって調節される、実施態様項１２記載の修復器具。
〔実施態様項１４〕
上記バッフルに設けられた第３の縫合糸ループと、
上記第３の縫合糸ループの上記ルーメン内に設けられた第３の縫合糸とをさらに有し、
上記第３の縫合糸を引くことにより、上記バッフルが変位する、実施態様項１３記載の修復器具。
〔実施態様項１５〕
上記心房固定部材に取り付けられるとともに心房固定部材を少なくとも部分的に跨いだファブリックの少なくとも１つのファブリックセグメントをさらに有し、上記ファブリック被覆は、組織内方成長を容易にする、実施態様項１〜１４のうちいずれか一に記載の修復器具。
〔実施態様項１６〕
上記心房固定部材の遠位端部から垂下したファブリックの少なくとも１つのファブリックセグメントをさらに有する、実施態様項１〜１５のうちいずれか一に記載の修復器具。
〔実施態様項１７〕
上記少なくとも１つのファブリックセグメントに取り付けられるとともに上記ファブリックセグメントを付勢して該ファブリックセグメントを上記中央ルーメンから遠ざける付勢部材をさらに有する、実施態様項１５又は１６記載の修復器具。
〔実施態様項１８〕
上記心房固定部材は、少なくとも２つの列をなすセルから成る、実施態様項１〜１７のうちいずれか一に記載の修復器具。
〔実施態様項１９〕
上記心房固定部材は、シェブロンの列をさらに有し、
上記シェブロンのうちの少なくとも２つは、貫通穴を有し、
上記心房固定部材は、上記貫通穴に通された縫合糸を有し、
上記縫合糸を締めることにより、上記心房固定部材の直径が調節される、実施態様項１〜１８のうちいずれか一に記載の修復器具。
〔実施態様項２０〕
上記心房固定部材は、切頭円錐形の形状を有する、実施態様項１〜１９のうちいずれか一に記載の修復器具。
〔実施態様項２１〕
上記心房固定部材は、上記生まれつきの心臓弁の心房壁とのみ係合する形状を有する、実施態様項１〜２０のうちいずれか一に記載の修復器具。
〔実施態様項２２〕
外力によって拘束されていない上記心房固定部材のサイズは、心拡張期の際、生まれつきの心房のサイズよりも大きい、実施態様項１〜２１のうちいずれか一に記載の修復器具。
〔実施態様項２３〕
上記修復器具は、上記心房固定部材及び上記バッフルにおいてのみ上記生まれつきの心臓弁に対して固定されている、実施態様項１〜２２のうちいずれか一に記載の修復器具。
〔実施態様項２４〕
上記心房固定部材は、前方側部及び後方側部を有し、上記心房固定部材の上記前方側部の近位端部は、上記心房固定部材の上記後方側部の近位端部から垂直にオフセットしている、実施態様項１〜２３のうちいずれか一に記載の修復器具。
〔実施態様項２５〕
上記心房固定部材は、非対称の形状を有し、前方側部の長さは、上記心房固定部材の上記前方側部が上記心房固定部材の上記後方側部よりも垂直方向に高いように上記心房固定部材の後方側部の長さよりも長い、実施態様項１〜２４のうちいずれか一に記載の修復器具。
〔実施態様項２６〕
上記心房固定部材の後方側部は、上記心房固定部材の前方側部よりも硬い、実施態様項１〜２５のうちいずれか一に記載の修復器具。
〔実施態様項２７〕
上記心房固定部材は、複数のセルを形成している複数の相互連結ストラットを有し、上記心房固定部材の上記後方側部の上記ストラットは、上記心房固定部材の上記前方側部の上記ストラットよりも厚い、広いかつ／あるいは隣り合うストラット相互間の隙間が狭いかの少なくとも１つである、実施態様項２６記載の修復器具。
〔実施態様項２８〕
心房壁を備えた心房、心室壁を備えた心室、開き位置及び閉鎖位置を有する少なくとも２つの尖を備えた心臓弁を有する心臓内の逆流性の心臓弁を修復する方法であって、上記心臓弁は、上記心房と上記心室との間の境界部のところに配置され、上記心臓は、上記心臓弁を包囲した弁輪を有し、上記方法は、
人工弁尖器具を用意するステップを含み、上記人工弁尖器具は、
メッシュ材料で作られた心房固定部材を有し、上記心房固定部材は、上記心房と上記心室を流体結合するよう構成された中央ルーメンを備え、上記心房固定部材は、前方部分、後方部分、近位端部、遠位端部、内側部、及び外側部を有し、
上記心房固定部材に取り付けられたバッフルを有し、上記バッフルの前方部分は、上記少なくとも２つの尖のうちの１つのための人工接合面として作用する滑らかな無外傷性の表面を備え、上記バッフルの後方部分は、上記少なくとも２つの尖のうちの別の１つの少なくとも一部分に係合して該一部分を変位させるよう構成され、上記バッフルは、上記中央ルーメン内に突き出て上記変位した尖の閉鎖位置に近づき、
上記人工弁尖器具を上記心房内に植え込んで、上記心房固定部材が上記弁輪から間隔を置いて離れて位置するようにするステップを含み、
上記バッフルを上記少なくとも２つの尖のうちの一方に当接するよう位置決めするステップを含む、方法。
〔実施態様項２９〕
上記人工弁尖器具の上記心房固定部材は、アイレットを備えた少なくとも２つの縫合糸ループ、上記アイレットに通された縫合糸ストランドを有し、上記縫合糸ストランドを締めると、上記心房固定部材が潰れ、
上記人工弁尖器具を植え込むステップは、
上記縫合糸ストランドを締めて上記心房固定部材を潰すステップと、
上記心房固定部材が上記心房内で潰れた状態で上記人工弁尖器具を配置するステップと、
上記人工弁尖器具を弛めて上記心房固定部材が拡張して上記心房壁に接触するようにするステップとを含む、実施態様項２８記載の方法。
〔実施態様項３０〕
上記人工弁尖器具は、上記心房固定部材及び上記バッフルによってのみ上記心臓弁に対して固定される、実施態様項２８又は２９記載の方法。
〔実施態様項３１〕
心臓弁修復器具であって、
中央ルーメンを備えた心房固定部材と、
上記心房固定部材に取り付けられたバッフルとを有し、上記バッフルは、生まれつきの心臓弁の少なくとも１つの生まれつきの尖と接合する人工接合面を構成する滑らかな無外傷性の表面を備えた前方部分と、機能的に欠陥のある尖の少なくとも一部分に係合して該一部分を変位させる後方部分とを有し、上記バッフルは、上記機能的に欠陥のある尖の閉鎖位置に近づくよう上記中央ルーメン中に半径方向内方に延びている、心臓弁修復器具。
〔実施態様項３２〕
上記バッフルを少なくとも部分的に包囲したファブリック被覆をさらに有する、実施態様項３１記載の修復器具。
〔実施態様項３３〕
上記バッフルは、生体適合性フォームから成る、実施態様項３１又は３２記載の修復器具。
〔実施態様項３４〕
上記心房固定器具及び上記バッフルの後方部分上に設けられた複数の摩擦要素をさらに有し、上記バッフルは、上記心房固定部材に対して少なくとも実質的に固定された向きのままである、実施態様項３１〜３３のうちいずれか一に記載の修復器具。
〔実施態様項３５〕
上記バッフルは、中空内部を包囲したバスケットを有する、実施態様項３１記載の修復器具。
〔実施態様項３６〕
上記バッフルは、複数の前方ストラット及び複数の後方ストラットを有し、上記前方ストラット及び上記後方ストラットの隣り合うストラット相互間には隙間が介在して設けられている、実施態様項３５記載の修復器具。
〔実施態様項３７〕
上記バスケットは、口を有し、上記バスケットは、ファブリックによって覆われ、上記バスケットの上記口は、覆われていない、実施態様項３５又は３６記載の修復器具。
〔実施態様項３８〕
上記バッフルの上記前方部分は、凸状の形状を有する、実施態様項３１〜３７のうちいずれか一に記載の修復器具。
〔実施態様項３９〕
上記バッフルの上記後方部分は、３つのスカラップを備えた僧帽弁前尖又は僧帽弁後尖のうちの中央スカラップに係合して該中央スカラップを変位させる一方で、残りの上記２つのスカラップを可動状態のままにしておくよう寸法決めされている、実施態様項３１〜３８のうちいずれか一に記載の修復器具。
〔実施態様項４０〕
上記バッフルの上記後方部分は、生まれつきの尖全体に係合して該尖を変位させるよう寸法決めされている、実施態様項３１〜３９のうちいずれか一に記載の修復器具。
〔実施態様項４１〕
上記心房固定部材は、第１の平面内で延びる半円形リングを有し、上記バッフルは、上記第１の平面と平行でありかつ該第１の平面から垂直にオフセットした第２の平面で延びている、実施態様項３１〜４０のうちいずれか一に記載の修復器具。
〔実施態様項４２〕
上記バッフルの上記前方部分は、生体適合性フォームから成る、実施態様項３１記載の修復器具。
〔実施態様項４３〕
上記心房固定部材は、前外側交連と後内側交連との間で上記弁輪の周辺を囲むよう寸法決めされた半円形リングを有する、実施態様項３１〜４１のうちいずれか一に記載の修復器具。
〔実施態様項４４〕
心臓弁修復器具であって、
中央ルーメンを備えた心房固定部材を有し、
三角アンカーシステム及び後方フックの群から選択された少なくとも１つの固定機構体を有し、
上記三角アンカーシステムは、上記心房固定部材に取り付けられるとともに上記バッフルから遠ざかって延びる第１の三角延長部、部分リングの第２の端部に取り付けられるとともに上記バッフルから遠ざかって延びる第２の三角延長部、ならびにアンカーと上記第１及び上記第２の三角延長部の終端部に取り付けられた無外傷性先端部とのうちの一方を含み、
上記後方フックは、上記心房固定部材の後方部分に取り付けられ、上記後方フックは、遠位側に延びる第１の部分及び後方の方向に湾曲した第２の部分を有し、上記後方フックは、心臓の心室中に延びて、生まれつきの心臓弁輪の心室側に係合するよう形作られ、
上記心房固定部材に取り付けられたバッフルを有し、上記バッフルは、１つ又は２つ以上の生まれつきの尖のための人工接合面を構成する滑らかな無外傷性の表面を備えた前方部分、及び機能的に欠陥のある尖の少なくとも一部分に係合して該一部分を変位させるよう構成された後方部分を有し、上記バッフルは、上記中央ルーメン中に延びるとともに上記機能的に欠陥のある尖のための閉鎖位置に近づく、心臓弁修復器具。
〔実施態様項４５〕
上記バッフルを少なくとも部分的に包囲したファブリック被覆をさらに有する、実施態様項４４記載の修復器具。
〔実施態様項４６〕
上記バッフルは、生体適合性フォームから成る、実施態様項４４又は４５記載の修復器具。
〔実施態様項４７〕
上記心房固定部材及び上記バッフルの後方部分に設けられた複数の摩擦要素をさらに有する、実施態様項４４〜４６のうちいずれか一に記載の修復器具。
〔実施態様項４８〕
上記バッフルは、中空内部を包囲したバスケットを有する、実施態様項４４記載の修復器具。
〔実施態様項４９〕
上記バッフルは、複数の前方ストラット及び複数の後方ストラットを有し、上記前方ストラット及び上記後方ストラットの隣り合うストラット相互間には隙間が介在して設けられている、実施態様項４８記載の修復器具。
〔実施態様項５０〕
上記バスケットは、口を有し、上記バスケットは、ファブリックによって覆われ、上記バスケットの上記口は、覆われていない、実施態様項４８又は４９記載の修復器具。
〔実施態様項５１〕
上記バッフルの上記前方部分は、凸状の形状を有する、実施態様項４４〜５０のうちいずれか一に記載の修復器具。
〔実施態様項５２〕
上記バッフルの上記後方部分は、３つのスカラップを備えた僧帽弁前尖又は僧帽弁後尖のうちの中央スカラップに係合して該中央スカラップを変位させる一方で、残りの上記２つのスカラップを可動状態のままにしておくよう寸法決めされるとともに形作られている、実施態様項４４〜５１のうちいずれか一に記載の修復器具。
〔実施態様項５３〕
上記バッフルの上記後方部分は、上記機能的に欠陥のある尖全体に係合するよう寸法決めされている、実施態様項４４〜５２のうちいずれか一に記載の修復器具。
〔実施態様項５４〕
上記心房固定部材は、前外側交連と後内側交連との間で上記心臓弁輪の周辺を囲むよう寸法決めされた半円形リングを有する、実施態様項４４〜５３のうちいずれか一に記載の修復器具。
〔実施態様項５５〕
心臓弁修復器具であって、
中央ルーメンを備えた心房固定部材と、
上記心房固定部材に取り付けられたバッフルとを有し、上記バッフルは、１つ又は２つ以上の生まれつきの尖に係合する接合面を構成する滑らかな無外傷性の表面を備えた前方部分、及び機能的に欠陥のある尖の少なくとも一部分に係合して該一部分を変位させる後方部分を有し、上記バッフルは、上記中央ルーメン中に延びるとともに上記機能的に欠陥のある尖のための閉鎖位置に近づく、心臓弁修復器具。
〔実施態様項５６〕
上記バッフルを少なくとも部分的に包囲したファブリック被覆をさらに有する、実施態様項５５記載の心臓弁修復器具。
〔実施態様項５７〕
上記バッフルは、生体適合性フォームから成る、実施態様項５５又は５６記載の心臓弁修復器具。
〔実施態様項５８〕
上記心房固定器具及び上記バッフルの後方部分上に設けられた複数の摩擦係合要素をさらに有する、実施態様項５５〜５７のうちいずれか一に記載の心臓弁修復器具。
〔実施態様項５９〕
上記バッフルは、中空内部を包囲したバスケットを有する、実施態様項５５、５６又は５８記載の心臓弁修復器具。
〔実施態様項６０〕
上記バッフルは、複数の前方ストラット及び複数の後方ストラットを有し、上記前方ストラット及び上記後方ストラットの隣り合うストラット相互間には隙間が介在して設けられている、実施態様項５５、５６、５８又は５９記載の心臓弁修復器具。
〔実施態様項６１〕
上記バスケットは、口を有し、上記バスケットは、ファブリックによって覆われ、上記バスケットの上記口は、覆われていない、実施態様項５５、５６、５８又は５９記載の心臓弁修復器具。
〔実施態様項６２〕
上記バッフルの上記前方部分は、凸状の形状を有する、実施態様項５５〜６１のうちいずれか一に記載の心臓弁修復器具。
〔実施態様項６３〕
上記バッフルの上記後方部分は、３つのスカラップを備えた僧帽弁前尖又は僧帽弁後尖のうちの中央スカラップに係合して該中央スカラップを変位させる一方で、残りの上記２つのスカラップを可動状態のままにしておくよう寸法決めされている、実施態様項５５〜６２のうちいずれか一に記載の心臓弁修復器具。
〔実施態様項６４〕
上記心房固定部材は、第１及び第２の端部を備えた部分的に円形の切頭円錐形部材と、上記心房固定部材の上記第１の端部と上記第２の端部との間に延びるブレースとを有する、実施態様項５５〜６３のうちいずれか一に記載の心臓弁修復器具。
〔実施態様項６５〕
三角アンカーシステム及び後方フックの群から選択された少なくとも１つの固定機構体をさらに有し、上記三角アンカーは、上記心房固定部材の上記第１の端部に取り付けられるとともに上記バッフルから遠ざかって延びる第１の三角延長部、上記心房固定部材の上記第２の端部に取り付けられるとともに上記バッフルから遠ざかって延びる第２の三角延長部、ならびにアンカーと上記第１及び上記第２の三角延長部の終端部に取り付けられた無外傷性先端部とのうちの一方を含む、実施態様項５５〜６４のうちいずれか一に記載の心臓弁修復器具。
〔実施態様項６６〕
前尖及び後尖を備えた僧帽弁を修復するための心臓弁修復器具であって、
潰れ形態及び拡張形態を有する心房固定部材を有し、上記心房固定部材は、拡張可能なリング状のメッシュを有し、上記心房固定部材は、生まれつきの弁輪の上流側で上記心房壁の組織に接触するよう形作られ、
上記心房固定部材から半径方向内方に延びるバッフルを有し、上記バッフルは、上記後尖を心室壁に向かって変位させて上記後尖を開き位置に拘束するよう形作られた外側部分、上記外側部分の半径方向内方に接合面を備えた内側部分を有し、上記内側部分は、上記接合面が上記前尖の閉鎖位置の少なくとも近くに位置決めされるような距離だけ上記外側部分から間隔を置いて位置している、心臓弁修復器具。
〔実施態様項６７〕
上記心房固定部材は、上記生まれつきの弁輪の上方で心房壁組織にのみ接触するよう形作られている、実施態様項６６記載の心臓弁修復器具。
〔実施態様項６８〕
上記バッフルの表面上に設けられた生体適合性被覆をさらに有する、実施態様項６６又は６７記載の心臓弁修復器具。
〔実施態様項６９〕
上記バッフルは、上記心房固定部材から下流側の方向に延びる後方ストラット及び上記後方ストラットの下流側端部から内方かつ上方に突き出た前方ストラットを有し、上記心臓弁修復器具は、上記後方及び上記前方ストラットに取り付けられた被覆をさらに有する、実施態様項６６〜６８のうちいずれか一に記載の心臓弁修復器具。
〔実施態様項７０〕
上記心房固定部材は、複数のストラットを有し、上記心臓弁修復器具は、上記心房固定部材の上記ストラットに取り付けられた被覆をさらに有する、実施態様項６６〜６９のうちいずれか一に記載の心臓弁修復器具。
【図１】
2020532402.tif 000003
【図２Ａ】
2020532402.tif 000004
【図２Ｂ】
2020532402.tif 000005
【図２Ｃ】
2020532402.tif 000006
【図２Ｄ−１】
2020532402.tif 000007
【図２Ｄ−２】
2020532402.tif 000008
【図２Ｅ−１】
2020532402.tif 000009
【図２Ｅ−２】
2020532402.tif 000010
【図２Ｆ−１】
2020532402.tif 000011
【図２Ｆ−２】
2020532402.tif 000012
【図２Ｆ−３】
2020532402.tif 000013
【図２Ｇ−１】
2020532402.tif 000014
【図２Ｇ−２】
2020532402.tif 000015
【図２Ｇ−３】
2020532402.tif 000016
【図２Ｇ−４】
2020532402.tif 000017
【図２Ｈ−１】
2020532402.tif 000018
【図２Ｈ−２】
2020532402.tif 000019
【図２Ｉ】
2020532402.tif 000020
【図３Ａ】
2020532402.tif 000021
【図３Ｂ】
2020532402.tif 000022
【図３Ｃ】
2020532402.tif 000023
【図３Ｄ】
2020532402.tif 000024
【図３Ｅ】
2020532402.tif 000025
【図４Ａ】
2020532402.tif 000026
【図４Ｂ】
2020532402.tif 000027
【図５Ａ】
2020532402.tif 000028
【図５Ｂ】
2020532402.tif 000029
【図６Ａ】
2020532402.tif 000030
【図６Ｂ】
2020532402.tif 000031
【図７Ａ】
2020532402.tif 000032
【図７Ｂ】
2020532402.tif 000033
【図７Ｃ】
2020532402.tif 000034
【図８Ａ】
2020532402.tif 000035
【図８Ｂ】
2020532402.tif 000036
【国際調査報告】
2020532402.tif 000037
2020532402.tif 000038
2020532402.tif 000039